(57)【要約】【課題】情報の入力部と処理部と記憶部と出力部とを一箇所に集中して構成し、これら各部の間で情報のやりとりを可能にし、使い勝手のよい情報入出力装置を提供する。【解決手段】画像形成部１、給紙部２、原稿読み取り部３、排紙トレイ４等を有し、シート状部材を主体とした情報入出力装置である。更に、読み取った原稿の画像情報や、ネットワークを通して伝送されている情報を記憶・保存する記憶部を有し、これら各部の間で情報のやりとりを可能として、シート状部材を主体とした情報入力装置にネットワークサーバ機能を持たせ、使い勝手のよいものとした。【選択図】図２
2006295878.tif 000002
【特許請求の範囲】
【請求項１】
情報の入力部と処理部と記憶部と出力部を有し、前記出力部は異なる複数の手段よりなるとともにその１つはシート状部材に色材を付与する手段であり、他は可搬性の記憶メディアに所望の情報を書き込む手段である画像形成装置において、該情報入出力装置は原稿をイメージ情報として読み取るスキャナを具備し、該スキャナで読み取ったイメージ情報を前記記憶部に保存するとともに、前記情報の入力部、処理部、記憶部、出力部を１箇所に集中して構成し、これら各部の間で情報のやりとりを行うようにしたことを特徴とする画像形成装置。
【請求項２】
請求項１に記載の画像形成装置をネットワーク回線を介して他の情報処理装置と接続し、該他の情報処理装置からの命令によって、前記画像形成装置によるシート状部材への色材付与を行うことを特徴とする画像形成装置。
【請求項３】
前記他の情報処理装置から送付された情報を前記記憶部に保存し、必要に応じて前記出力部から出力することを特徴とする請求項２に記載の画像形成装置。
【請求項４】
前記画像形成装置は、複数のシート状部材と所望の情報を書き込まれる前の複数の可搬性の記憶メディアをストックしてなることを特徴とする請求項１乃至３のいずれか１に記載の画像形成装置。
【請求項５】
前記シート状部材は、可搬性の記憶メディアより多くストックしてなることを特徴とする請求項４に記載の画像形成装置。
【請求項６】
前記画像形成装置は、出力情報に応じて前記シート状部材に色材を付与するとともに、該出力情報を前記可搬性の記憶メディアに書き込むことを特徴とする請求項１乃至５のいずれか１に記載の画像形成装置。
【請求項７】
前記可搬性の記憶メディアに書き込む情報は、前記シート状部材に色材を付与する際の出力フォーマットを含むことを特徴とする請求項６に記載の画像形成装置。
【請求項８】
前記画像形成装置は、前記シート状部材ならびに可搬性の記憶メディアのストック量を検出し、いずれかのストック量がゼロの場合に、前記シート状部材への色材付与あるいは前記可搬性の記憶メディアへの情報書き込みを停止することを特徴とする請求項６もしくは７に記載の画像形成装置。
【請求項９】
前記画像形成装置は可搬性の記憶メディアの収納部材を複数個ストックしてなることを特徴とする請求項１乃至８のいずれか１に記載の画像形成装置。
【請求項１０】
前記収納部材の表面にインク受容層を設けることを特徴とする請求項９に記載の画像形成装置。
【請求項１１】
前記可搬性の記憶メディアに所望の情報を書き込んだ後、前記収納部材に収納することを特徴とする請求項９もしくは１０に記載の画像形成装置。
【請求項１２】
前記可搬性の記憶メディアを収納した収納部材は、被出力物であるシート状文書と一体化されることを特徴とする請求項１１に記載の画像形成装置。
【請求項１３】
前記可搬性の記憶メディアは、ＲＦＩＤ機能を持つ記憶メディアであるとともに、該記憶メディアは、前記シート状部材に、シート状部材への色材付与を行う手段と同等の原理によって印刷形成することを特徴とする請求項１乃至１２のいずれか１に記載の画像形成装置。
【請求項１４】
前記可搬性の記憶メディアは、ＲＦＩＤチップであることを特徴とする請求項１乃至１２のいずれか１に記載の画像形成装置。
【請求項１５】
前記可搬性の記憶メディアは、ＲＦＩＤチップであり、前記シート状部材と一体化することを特徴とする請求項１乃至１２のいずれか１もしくは請求項１４に記載の画像形成装置。
【請求項１６】
前記ＲＦＩＤチップは、樹脂成分によって前記シート状部材と一体化することを特徴とする請求項１５に記載の画像形成装置。
【請求項１７】
前記樹脂成分は、カールソンプロセス原理で使用するトナーであることを特徴とする請求項１６に記載の画像形成装置。
【請求項１８】
前記可搬性の記憶メディアに、ＲＦＩＤ機能を印刷形成するもしくはＲＦＩＤチップを搭載することを特徴とする請求項１乃至１２のいずれか１に記載の画像形成装置。
【請求項１９】
前記ＲＦＩＤチップは、熱軟化樹脂によって前記可搬性の記憶メディアと直接的に一体化するもしくは前記収納部材と一体化することを特徴とする請求項１８に記載の画像形成装置。
【請求項２０】
前記ＲＦＩＤチップは、熱硬化樹脂によって前記可搬性の記憶メディアと直接的に一体化するもしくは前記収納部材と一体化することを特徴とする請求項１８に記載の画像形成装置。
【請求項２１】
前記ＲＦＩＤチップは、ＵＶ硬化樹脂によって前記可搬性の記憶メディアと直接的に一体化するもしくは前記収納部材と一体化することを特徴とする請求項１８に記載の画像形成装置。
【請求項２２】
前記ＲＦＩＤチップは、熱収縮樹脂によって前記可搬性の記憶メディアと直接的に一体化するもしくは前記収納部材と一体化することを特徴とする請求項１８に記載の画像形成装置。
【発明の詳細な説明】
【技術分野】
【０００１】
本発明は、画像形成手段に関するものであり、特に、情報の出力媒体として紙メディアを使用するとともに、その他に別の情報の出力手段、媒体を具備する画像形成手段に関するものである。
【背景技術】
【０００２】
近年、複写機はデジタル化の波に乗り、従来の単に文書の複写を行うといういわゆる複写機としての機能の他にスキャナ機能、ファックス機能、プリンタ機能等を備えたデジタル複合機、ＭＦＰ（マルチファンクションプリンタ、マルチファンクションペリフェラル）として進化してきている（例えば、特許文献１参照。）。それにともない、このようなデジタル複合機、ＭＦＰもコンピュータネットワークに組み込まれ、扱う情報もいわゆる電子データとしてネットワーク内を駆け巡る時代となってきている。さらに、このような電子データの特質を生かし、大量の文書データを保管するファイリング機能も備えた装置としての側面も持つようになってきている（例えば、特許文献２参照。）。
【０００３】
このようにコンピュータあるいはネットワークシステムの進化により、全てのデータは電子データとして便利に活用できる反面、従来ながらの紙文書もその読み易さ、手触りの良さがあり、その需要は衰えていない。また、このような時代においてはデータの送受信もネットワークを介して行われるのが一般的ではあり、前述のＭＦＰの例でいうならば、スキャナによる読み取り情報を紙出力するのみならず、メイル受信することもシステム的に可能である（例えば、特許文献３参照。）。
【特許文献１】特開２００２−２０２８７０号公報
【特許文献２】特開２００２−０２７１９２号公報
【特許文献３】特開２００３−３３７６８２号公報
【発明の開示】
【発明が解決しようとする課題】
【０００４】
一方で、このような情報のやりとりが目に見えないようなネットワーク網による配信以外に、受け取りの確実性を望む需要もある。
【０００５】
本発明は、上述のごとき実情に鑑みてなされたもので、
第１の目的は、情報の入力部と処理部と記憶部と出力部とを１箇所に集中して構成し、それら各部の間で情報のやりとりを行うようにして、使い勝手のよい画像形成装置を提供することにある。
【０００６】
第２の目的は、シート状部材を主体とした画像形成装置において、その操作を離れたところから行うことを可能とした新規な構成の画像形成装置を提供することにある。
【０００７】
第３の目的は、シート状部材を主体とした画像形成装置において、シート状部材以外の他の媒体への出力も可能とした新規な構成の画像形成装置を提供することにある。
【０００８】
第４の目的は、このような画像形成装置のより具体的な構成を提供することにある。
【０００９】
第５の目的は、このような画像形成装置のさらにより具体的な構成を提供することにある。
【００１０】
第６の目的は、このような画像形成装置に独特な使用方法を実現する構成を提供することにある。
【００１１】
第７の目的は、このような画像形成装置に独特な他の使用方法を実現する構成を提供することにある。
【００１２】
第８の目的は、このような画像形成装置に独特なさらに他の使用方法を実現する構成を提供することにある。
【００１３】
第９の目的は、このような画像形成装置のさらに他の構成を提供することにある。
【００１４】
第１０の目的もまた、このような画像形成装置に独特な使用方法を実現する構成を提供することにある。
【００１５】
第１１の目的は、このような画像形成装置に独特な他の使用方法を実現する構成を提供することにある。
【００１６】
第１２の目的は、このような画像形成装置に独特なさらに他の使用方法を実現する構成を提供することにある。
【００１７】
第１３の目的は、このような画像形成装置のシート状部材以外の他の出力媒体の新規な構成を提供することにある。
【００１８】
第１４の目的は、このような画像形成装置のシート状部材以外の他の出力媒体の具体的な構成を提供することにある。
【００１９】
第１５の目的は、このような画像形成装置のシート状部材以外の他の出力媒体の使用時における具体的な構成を提供することにある。
【００２０】
第１６の目的は、このような画像形成装置のシート状部材以外の他の出力媒体の使用時における具体的な構成を実現するための構成を提供することにある。
【００２１】
第１７の目的は、このような画像形成装置のシート状部材以外の他の出力媒体の使用時における具体的な構成を実現するための他の構成を提供することにある。
【００２２】
第１８の目的は、このような画像形成装置のシート状部材以外の他の出力媒体に情報出力した際にその出力媒体に素性を持たせるようにするための構成を提供することにある。
【００２３】
第１９の目的は、このような出力媒体に素性を持たせるようにするための具体的な構成を実現するための構成を提供することにある。
【００２４】
第２０の目的は、このような出力媒体に素性を持たせるようにするための具体的な構成を実現するための他の構成を提供することにある。
【００２５】
第２１の目的は、このような出力媒体に素性を持たせるようにするための具体的な構成を実現するためのさらに他の構成を提供することにある。
【００２６】
第２２の目的は、このような出力媒体に素性を持たせるようにするための具体的な構成を実現するためのさらに他の構成を提供することにある。
【課題を解決するための手段】
【００２７】
第１の発明は、情報の入力部と処理部と記憶部と出力部を有し、前記出力部は異なる複数の手段よりなるとともにその１つはシート状部材に色材を付与する手段であり、他は可搬性の記憶メディアに所望の情報を書き込む手段である画像形成装置において、該は画像形成装置原稿をイメージ情報として読み取るスキャナを具備し、該スキャナで読み取ったイメージ情報を前記記憶部に保存するとともに、前記情報の入力部、処理部、記憶部、出力部を１箇所に集中して構成し、これら各部の間で情報のやりとりを行うようにしたことを特徴としたものである。
【００２８】
第２の発明は、第１の画像形成装置をネットワーク回線を介して他の情報処理装置と接続し、該他の情報処理装置からの命令によって、前記画像形成装置によるシート状部材への色材付与を行うことを特徴としたものである。
【００２９】
第３の発明は、第２の発明において、前記他の情報処理装置から送付された情報を前記記憶部に保存し、必要に応じて前記出力部から出力することを特徴としたものである。
【００３０】
第４の発明は、第１乃至３のいずれか１の発明において、前記画像形成装置は、複数のシート状部材と所望の情報を書き込まれる前の複数の可搬性の記憶メディアをストックしてなることを特徴としたものである。
【００３１】
第５の発明は、第４の発明において、前記シート状部材は、可搬性の記憶メディアより多くストックしてなることを特徴としたものである。
【００３２】
第６の発明は、第１乃至５のいずれか１の発明において、前記画像形成装置は、出力情報に応じて前記シート状部材に色材を付与するとともに、該出力情報を前記可搬性の記憶メディアに書き込むことを特徴としたものである。
【００３３】
第７の発明は、第６の発明において、前記可搬性の記憶メディアに書き込む情報は、前記シート状部材に色材を付与する際の出力フォーマットを含むことを特徴としたものである。
【００３４】
第８の発明は、第６もしくは７の発明において、前記画像形成装置は、前記シート状部材ならびに可搬性の記憶メディアのストック量を検出し、いずれかのストック量がゼロの場合に、前記シート状部材への色材付与あるいは前記可搬性の記憶メディアへの情報書き込みを停止することを特徴としたものである。
【００３５】
第９の発明は、第１乃至８のいずれか１の発明において、前記画像形成装置は可搬性の記憶メディアの収納部材を複数個ストックしてなることを特徴としたものである。
【００３６】
第１０の発明は、第９の発明において、前記収納部材の表面にインク受容層を設けることを特徴としたものである。
【００３７】
第１１の発明は、第９もしくは１０のいずれか１の発明において、前記可搬性の記憶メディアに所望の情報を書き込んだ後、前記収納部材に収納することを特徴としたものである。
【００３８】
第１２の発明は、第１１の発明において、前記可搬性の記憶メディアを収納した収納部材は、被出力物であるシート状文書と一体化されることを特徴としたものである。
【００３９】
第１３の発明は、第１乃至１２のいずれか１の発明において、前記可搬性の記憶メディアは、ＲＦＩＤ機能を持つ記憶メディアであるとともに、該記憶メディアは、前記シート状部材に、シート状部材への色材付与を行う手段と同等の原理によって印刷形成することを特徴としたものである。
【００４０】
第１４の発明は、第１乃至１２のいずれか１の発明において、前記可搬性の記憶メディアは、ＲＦＩＤチップであることを特徴としたものである。
【００４１】
第１５の発明は、第１乃至１２のいずれか１の発明において、前記可搬性の記憶メディアは、ＲＦＩＤチップであり、前記シート状部材と一体化することを特徴としたものである。
【００４２】
第１６の発明は、第１５の発明において、前記ＲＦＩＤチップは、樹脂成分によって前記シート状部材と一体化することを特徴としたものである。
【００４３】
第１７の発明は、第１６の発明において、前記樹脂成分は、カールソンプロセス原理で使用するトナーであることを特徴としたものである。
【００４４】
第１８の発明は、第１乃至１２のいずれか１の発明において、前記可搬性の記憶メディアに、ＲＦＩＤ機能を印刷形成するもしくはＲＦＩＤチップを搭載することを特徴としたものである。
【００４５】
第１９の発明は、第１８の発明において、前記ＲＦＩＤチップは、熱軟化樹脂によって前記可搬性の記憶メディアと直接的に一体化するもしくは前記収納部材と一体化することを特徴としたものである。
【００４６】
第２０の発明は、第１８の発明において、前記ＲＦＩＤチップは、熱硬化樹脂によって前記可搬性の記憶メディアと直接的に一体化するもしくは前記収納部材と一体化することを特徴としたものである。
【００４７】
第２１の発明は、第１８の発明において、前記ＲＦＩＤチップは、ＵＶ硬化樹脂によって前記可搬性の記憶メディアと直接的に一体化するもしくは前記収納部材と一体化することを特徴としたものである。
【００４８】
第２２の発明は、第１８の発明において、前記ＲＦＩＤチップは、熱収縮樹脂によって前記可搬性の記憶メディアと直接的に一体化するもしくは前記収納部材と一体化することを特徴としたものである。
【発明の効果】
【００４９】
第１の発明によれば、情報の入力部と処理部と記憶部と出力部を有し、前記出力部は異なる複数の手段よりなるとともにその１つはシート状部材に色材を付与する手段であり、他は可搬性の記憶メディアに所望の情報を書き込む手段である画像形成装置において、該画像形成装置は原稿をイメージ情報として読み取るスキャナを具備し、該スキャナで読み取ったイメージ情報を前記記憶部に保存するとともに、前記情報の入力部、処理部、記憶部、出力部を１箇所に集中して構成し、これら各部の間で情報のやりとりを行うようにしたので、使い勝手のよい情報入出力装置を提供することができるようになった。
【００５０】
例えば紙メディアに代表されるシート状部材への情報の出力（いわゆるプリントアウト）を行うことができるとともに、そのデータ内容をシート状部材以外の可搬性の記憶メディアにも出力できるようになり、電子データの保管、移動などもできるようになった。
さらに、情報の入力部と処理部と記憶部と出力部とが１箇所に集中して構成しているので、上記出力された紙メディアならびに記憶メディアは同じ場所でそれを手に入れることができ、使用上大変便利である。
【００５１】
また、スキャナで読み取ったイメージ情報を前記記憶部に保存するようにしたので、そのデータをすぐに出力することなくＭＦＰ本体に保管しておき、必要なときにいつでも取り出して利用することができるようになった。
【００５２】
第２の発明によれば、第１に記載の画像形成装置をネットワーク回線を介して他の情報処理装置と接続し、該他の情報処理装置からの命令によって、前記画像形成装置によるシート状部材への色材付与を行うようにしたので、紙メディアへの情報の出力（いわゆるプリントアウト）を行うことができるとともに、そのデータ内容を紙以外の可搬性の記憶メディアにも出力できるようになり、電子データの保管、移動などもできるようになった。
さらに、情報の入力部と処理部と記憶部と出力部とが１箇所に集中して構成しているので、上記出力された紙メディアならびに記憶メディアは同じ場所でそれを手に入れることができ、使用上大変便利である。
【００５３】
また、スキャナで読み取ったイメージ情報を前記記憶部に保存するようにしたので、そのデータをすぐに出力することなくＭＦＰ本体に保管しておき、必要なときにいつでも取り出して利用することができるようになった。
さらに、本発明の画像形成装置であるＭＦＰは、ネットワーク回線を介して他の情報処理装置からの命令によってシート状部材への色材付与を行うようにしたので、そのＭＦＰのところまで行くことなく、遠隔操作で紙メディアへの情報の出力（いわゆるプリントアウト）を行うことができるようになった。
【００５４】
第３の発明によれば、第２の発明において、前記他の情報処理装置から送付された情報を前記記憶部に保存し、必要に応じて前記出力部から出力するようにしたので、紙メディアへの情報の出力（いわゆるプリントアウト）を行うことができるとともに、そのデータ内容を紙以外の可搬性の記憶メディアにも出力できるようになり、電子データの保管、移動などもできるようになった。
さらに、情報の入力部と処理部と記憶部と出力部とが１箇所に集中して構成しているので、上記出力された紙メディアならびに記憶メディアは同じ場所でそれを手に入れることができ、使用上大変便利である。
【００５５】
また、スキャナで読み取ったイメージ情報を前記記憶部に保存するようにしたので、そのデータをすぐに出力することなくＭＦＰ本体に保管しておき、必要なときにいつでも取り出して利用することができるようになった。
さらに、本発明の画像形成装置であるＭＦＰは、ネットワーク回線を介して他の情報処理装置と接続し、該他の情報処理装置から送付された情報を前記記憶部に保存し、必要に応じて前記出力部から出力するようにしたので、ＭＦＰ本体のスキャナで読み取ったイメージ情報以外にも情報を保有し、データバンク、データライブラリー的な使用法もでき、単なる画像形成装置以上の多機能的使用法が行えるようになった。
【００５６】
第４の発明によれば、第１乃至３のいずれか１の発明において、前記画像形成装置は、複数のシート状部材と所望の情報を書き込まれる前の複数の可搬性の記憶メディアをストックしてなるようにしたので、上記効果に加えて、例えば紙メディアに代表されるシート状部材への情報の出力（いわゆるプリントアウト）を行う場合に、毎回画像形成装置のところまでシート状部材を持っていってセットしたり、また、可搬性の記憶メディアにも出力する場合にも、同様にそのメディアを画像形成装置のところまで持っていってセットするという煩雑さから開放されるようになった。
【００５７】
第５の発明によれば、第４の発明において、前記シート状部材は、可搬性の記憶メディアより多くストックしてなるようにしたので、上記効果に加えて、紙メディアに代表されるシート状部材の画像形成装置への補給回数を少なくでき、シート状部材切れおよびその補給に煩わされるということが大変少なくなった。
【００５８】
第６の発明によれば、第１乃至５のいずれか１の発明において、前記画像形成装置は、出力情報に応じて前記シート状部材に色材を付与するとともに、該出力情報を前記可搬性の記憶メディアに書き込むようにしたので、出力したい情報を紙メディアに代表されるシート状部材へ出力（いわゆるプリントアウト）し、さらにその情報と同じ内容を可搬性の記憶メディアにも出力（記録）できるようになり、会議などでそのようなシート状部材へ出力したものと、可搬性の記憶メディアに出力したものとをいっしょに配布することができ、それを受け取った人は後で、可搬性の記憶メディアに記録された電子データ情報を利用することができるようになった。
【００５９】
第７の発明によれば、第６の発明において、前記可搬性の記憶メディアに書き込む情報は、前記シート状部材に色材を付与する際の出力フォーマットを含むようにしたので、例えば、紙メディアに代表されるシート状部材へ出力（いわゆるプリントアウト）したものを、破棄したり、汚したりして、再度出力（プリントアウト）したいという要求が生じた場合に、最初の出力フォーマットと同じフォーマットで、シート状部材への出力を行うことができるようになった。
【００６０】
第８の発明によれば、第６もしくは７の発明において、前記画像形成装置は、前記シート状部材ならびに可搬性の記憶メディアのストック量を検出し、いずれかのストック量がゼロの場合に、前記シート状部材への色材付与あるいは前記可搬性の記憶メディアへの情報書き込みを停止するようにしたので、シート状部材と可搬性の記憶メディアの両方に情報を出力したものがほしい（印刷物と情報の入った可搬性の記憶メディアがほしい）という場合に、一方だけが出力される（印刷物だけが生産されるあるいは情報の入った可搬性の記憶メディアだけが生産される）という無駄を回避できるようになった。
【００６１】
第９の発明によれば、第１乃至８のいずれか１の発明において、前記画像形成装置は可搬性の記憶メディアの収納部材を複数個ストックしてなるようにしたので、上記効果に加え、情報を書き込まれた記憶メディアをその場で複数製作して収納することができるようになった。
【００６２】
第１０の発明によれば、第９の発明において、前記収納部材の表面にインク受容層を設けるようにしたので、上記効果に加え、このような収納部材の表面に良好な記録を行うことができるようになり、さらにその記録された情報の定着性がよくなった。
【００６３】
第１１の発明によれば、第９もしくは１０の発明において、前記可搬性の記憶メディアに所望の情報を書き込んだ後、前記収納部材に収納するようにしたので、上記効果に加え、所望の情報が書き込まれた可搬性の記憶メディアを破損などの事故から防止でき、安全に持ち運びできるようになった。
【００６４】
第１２の発明によれば、第１１の発明において、前記可搬性の記憶メディアを収納した収納部材は、被出力物であるシート状文書と一体化されるようにしたので、上記効果に加え、シート状文書やシート状のイメージプリントアウト物ならびにその電子情報はいつでも互いに参照でき、その利用価値を高くすることができるようになった。
【００６５】
第１３の発明によれば、第１乃至１２のいずれか１の発明において、前記可搬性の記憶メディアは、ＲＦＩＤ機能を持つ記憶メディアであるとともに、該記憶メディアは、前記シート状部材に、シート状部材への色材付与を行う手段と同等の原理によって印刷形成するようにしたので、従来のように、ＲＦＩＤチップを高価な半導体製造プロセスを経て製作するのではなく、インクジェット原理あるいはカールソンプロセス原理等の簡単な印刷技術で製作できるので、低コストで、ＲＦＩＤ機能を付与することができるようになった。
【００６６】
第１４の発明によれば、第１乃至１２のいずれか１の発明において、前記可搬性の記憶メディアは、ＲＦＩＤチップであるようにしたので、上記効果に加え、大変小さくできるので、そのもの自体を運ぶというより、何か他のものといっしょに運ぶという場面で利用できるようになった。
また、無線通信機能を有するので、その、ＲＦＩＤチップがどこにあるのか、あるいはそれといっしょになっている他のものがどこにあるのかが追跡可能となった。
【００６７】
第１５の発明によれば、第１乃至１２のいずれか１もしくは第１４の発明において、前記可搬性の記憶メディアは、ＲＦＩＤチップであり、前記シート状部材と一体化するようにしたので、上記効果に加え、出力されたシート状部材を配布したりしても、それがどこにあるのか追跡することが可能であるとともに、そのシート状部材の内容がコピーされたり、改ざんされたり、新たな情報が加えられたりして、情報が氾濫しても、もとのオリジナル原稿を確定することができるようになった。
【００６８】
第１６の発明によれば、第１５の発明において、前記ＲＦＩＤチップは、樹脂成分によって前記シート状部材と一体化するようにしたので、上記効果に加え、簡単に一体化するか（貼り付けるか）することができるようになった。
【００６９】
第１７の発明によれば、第１６の発明において、前記樹脂成分は、カールソンプロセス原理で使用するトナーであるようにしたので、上記効果に加え、シート状部材上の定着前のトナー像の中にこのＲＦＩＤチップを埋没させておき、画像の定着と同時にこのＲＦＩＤチップも一緒にくっつけることができ、このＲＦＩＤチップを簡単にシート状部材と一体化させることができるようになった。
【００７０】
第１８の発明によれば、第１乃至第１２のいずれか１の発明において、前記可搬性の記憶メディアに、ＲＦＩＤ機能を印刷形成するもしくはＲＦＩＤチップを搭載するようにしたので、上記効果に加え、これらの情報を書き込まれた可搬性の記憶メディアを配布したりしても、それがどこにあるのか追跡することが可能であるとともに、その可搬性の記憶メディア内部の情報がコピーされたり、改ざんされたり、新たな情報が加えられたりして、情報が氾濫しても、もとのオリジナルの可搬性の記憶メディアを特定することができるようになった。
【００７１】
第１９の発明によれば、第１８の発明において、前記ＲＦＩＤチップは、熱軟化樹脂によって前記可搬性の記憶メディアと直接的に一体化するもしくは前記収納部材と一体化するようにしたので、上記効果に加え、簡単に一体化する（貼り付ける）ことができるようになった。
【００７２】
第２０の発明によれば、第１８の発明において、前記ＲＦＩＤチップは、熱硬化樹脂によって前記可搬性の記憶メディアと直接的に一体化するもしくは前記収納部材と一体化するようにしたので、上記効果に加え、簡単に一体化する（貼り付ける）ことができるようになった。
【００７３】
第２１の発明によれば、第１８の発明において、前記ＲＦＩＤチップは、ＵＶ硬化樹脂によって前記可搬性の記憶メディアと直接的に一体化するもしくは前記収納部材と一体化するようにしたので、上記効果に加え、ＵＶ光を照射させ、非接触で１秒〜数秒の間に簡単に固着させ一体化する（貼り付ける）ことができるようになった。
【００７４】
第２２の発明によれば、第１８の発明において、前記ＲＦＩＤチップは、熱収縮樹脂によって前記可搬性の記憶メディアと直接的に一体化するもしくは前記収納部材と一体化するようにしたので、上記効果に加え。熱風等を当てるだけで、非接触で簡単に一体化する（貼り付ける）ことができるようになった。
【００７５】
この他、本発明の特徴として、前記イメージ情報を必要に応じて前記出力部から出力するようにしたので、紙メディアに代表されるシート状部材への情報の出力（いわゆるプリントアウト）を行うことができるとともに、そのデータ内容をシート状部材以外の可搬性の記憶メディアにも出力できるようになり、電子データの保管、移動などもできるようになった。
【００７６】
さらに、情報の入力部と処理部と記憶部と出力部とが１箇所に集中して構成しているので、上記出力された紙メディアならびに記憶メディアは同じ場所でそれを手に入れることができ、使用上大変便利である。
また、スキャナで読み取ったイメージ情報を前記記憶部に保存するとともに、必要に応じて前記出力部から出力するようにしたので、そのデータをすぐに出力することなくＭＦＰ本体に保管しておき、必要なときにいつでも取り出して利用することができるようにな
った。
【００７７】
また、別の特徴として、本発明の画像形成装置において、前記イメージ情報もしくは他の情報処理装置から送付された情報を前記画像形成装置以外の情報処理装置からの命令によって出力するようにしたので、紙メディアへの情報の出力（いわゆるプリントアウト）を行うことができるとともに、そのデータ内容を紙以外の可搬性の記憶メディアにも出力できるようになり、電子データの保管、移動などもできるようになった。
【００７８】
また、情報の入力部と処理部と記憶部と出力部とが１箇所に集中して構成しているので、上記出力された紙メディアならびに記憶メディアは同じ場所でそれを手に入れることができ、使用上大変便利である。
さらに、スキャナで読み取ったイメージ情報を前記記憶部に保存するとともに、必要に応じて前記出力部から出力するようにしたので、そのデータをすぐに出力することなくＭＦＰ本体に保管しておき、必要なときにいつでも取り出して利用することができるようになった。
【００７９】
また、本発明の画像形成装置であるＭＦＰは、ネットワーク回線を介して他の情報処理装置と接続し、該他の情報処理装置から送付された情報を前記記憶部に保存し、必要に応じて前記出力部から出力するようにしたので、ＭＦＰ本体のスキャナで読み取ったイメージ情報以外にも情報を保有し、データバンク、データライブラリー的な使用法もでき、単なる出力装置以上の多機能的使用法が行えるようになった。
さらに、これらの情報は、前記情報入出力装置以外の情報処理装置からの命令によって、出力できるので、本発明のＭＦＰのところまで行かなくても遠隔操作でその作業を行うことができるようになった。
【００８０】
さらにまた、別の特徴として、本発明の画像形成装置において、前記イメージ情報を圧縮して保存するようにしたので、ＭＦＰ本体のメモリ容量負荷を低減でき、データ処理動作がおそくなるというようなことがなくなった。
また、別の特徴として、本発明の画像形成装置において、前記イメージ情報を他の情報処理装置に送付するようにしたので、この情報を他の情報処理装置で有益に利用できるようになった。
【００８１】
さらにまた、別の特徴として、このイメージ情報を複数の情報処理装置に送付するようにしたので、この情報を他の情報処理装置でさらに有益に利用できるようになった。
また、別の特徴として、本発明の画像形成装置において、前記イメージ情報を圧縮して保存するようにしたので、ＭＦＰ本体のメモリ容量負荷を低減でき、データ処理動作がおそくなるというようなことがなくなった。
【００８２】
さらにまた、別の特徴として、本発明の画像形成装置において、前記他の情報処理装置からの命令によって、前記イメージ情報を該他の情報処理装置に送付するようにしたので、ネットワーク環境下でこのようなイメージ情報を有効活用できるようになった。
また、別の特徴として、前記他の情報処理装置からの命令によって、前記イメージ情報を複数の情報処理装置に送付するようにしたので、上記効果に加え、この情報を他の情報処理装置でさらに有益に利用できるようになった。
【００８３】
さらにまた、別の特徴として、本発明の画像形成装置において、前記イメージ情報もしくは他の情報処理装置から送付された情報をネットワークにつながっている他の情報処理装置に送付するようにしたので、ネットワーク環境下でこのようなイメージ情報ならびに他の情報データも有効活用できるようになった。
また、別の特徴として、前記イメージ情報もしくは他の情報処理装置から送付された情報を複数の情報処理装置に送付するようにしたので、これらの情報を他の情報処理装置でさらに有益に利用できるようになった。
【００８４】
さらにまた、別の特徴として、本発明の画像形成装置において、前記シート状部材に色材を付与する手段はカールソンプロセス原理による手段であるようにしたので、紙メディアに代表されるシート状部材への出力生産性を大変高いものとすることができた。
また、別の特徴として、本発明の画像形成装置において、前記シート状部材に色材を付与する手段はインクジェット原理による手段であるようにしたので、紙メディアに代表されるシート状部材へのカラー出力が容易であるとともに、Ａ２〜Ａ０といった大判サイズや長尺のバナーのような媒体にも容易に出力できるとともに、そのデータ内容をシート状部材以外の可搬性の記憶メディアにも出力できるようになり、電子データの保管、移動などもできるようになった。
【００８５】
さらにまた、別の特徴として、前記インクジェット原理による手段によって前記収納部材の表面に記録を行うようにしたので、収納部材の外側から内容物の情報の識別などが視認できるようになった。
また、別の特徴として、本発明の画像形成装置において、前記可搬性の記憶メディアは光メモリであるようにしたので、このように紙メディアに代表されるシート状部材に出力（いわゆるプリントアウト）する／した情報をさらに電子データとして保管する場合の可搬性記憶メディアとして、汎用性が高く大変利用しやすいものとすることができた。
【００８６】
さらにまた、別の特徴として、前記光メモリは、非可逆性メモリであるようにしたので、消耗品としての記憶メディア１個あたりの値段が安く、大変経済的な画像形成装置とすることができるとともに、書き込まれた情報の改ざんを防止できるようになった。
また、別の特徴として、本発明の画像形成装置において、前記可搬性の記憶メディアは光磁気メモリであるようにしたので、このように紙メディアに代表されるシート状部材に出力（いわゆるプリントアウト）する／した情報をさらに電子データとして保管する場合の可搬性記憶メディアとして、汎用性が高く大変利用しやすいものとすることができた。
【００８７】
さらにまた、別の特徴として、前記可搬性の記憶メディアに情報の書き込みを行うピックアップユニットは着脱可能であるようにしたので、このようなピックアップユニットのレーザダイオードの寿命がきた場合に、ピックアップユニットのみを交換することによって、引き続き、記憶メディアに所望の情報を書き込む手段（ドライブ装置）や画像形成装置本体を使用できるので大変経済的な画像形成装置とすることができた。
また、本発明の画像形成装置はカールソンプロセス原理やインクジェット原理を使用し、紙へ出力するため、その紙粉やトナー、インクなどが常時装置内、あるいは装置近傍に漂っている環境にある。よって、このようなピックアップユニットのレンズ等の光学系が汚れやすいが、ピックアップユニットは着脱可能としているので、その清浄化、あるいは交換が簡単にできるようになった。
【００８８】
また、別の特徴として、本発明の画像形成装置において、前記可搬性の記憶メディアは半導体不揮発メモリであるようにしたので、このように紙メディアに代表されるシート状部材に出力（いわゆるプリントアウト）する／した情報をさらに電子データとして保管する場合の可搬性記憶メディアとして、汎用性が高く大変利用しやすいものとすることができた。
また、半導体不揮発メモリであるので、電源を切ってもデータが消えることなく保存され、さらに、動作時に機械的な可動部分がなく、高速応答ならびに信頼性が高い、大変使用しやすい画像形成装置とすることができた。
【００８９】
さらにまた、別の特徴として、前記ＲＦＩＤチップは、前記シート状部材にあらかじめ一体化してあるようにしたので、そのＲＦＩＤチップをどこに置くか、あるいはどのように一体化するか（貼り付けるか）といったことを意識せずに使用することができるようになった。
また、別の特徴として、前記ＲＦＩＤチップと可搬性の記憶メディアとの一体化は、可搬性の記憶メディアを収納する収納部材との間接的な一体化であるようにしたので、可搬性の記憶メディア自身に一体化させる必要はなく、収納する、つまりパッケージング作業にその一体化という工程も含めて行うことができるようになり、一体化の仕方に幅を持たせることができるようになった。
【００９０】
さらにまた、別の特徴として、前記ＲＦＩＤチップは、熱軟化樹脂によって前記可搬性の記憶メディアと直接的に一体化するもしくは前記収納部材と一体化するようにしたので、簡単に一体化する（貼り付ける）ことができるようになった。
また、別の特徴として、前記ＲＦＩＤチップは、熱硬化樹脂によって前記可搬性の記憶メディアと直接的に一体化するもしくは前記収納部材と一体化するようにしたので、簡単に一体化する（貼り付ける）ことができるようになった。
【００９１】
さらにまた、別の特徴として、前記ＲＦＩＤチップは、ＵＶ硬化樹脂によって前記可搬性の記憶メディアと直接的に一体化するもしくは前記収納部材と一体化するようにしたので、ＵＶ光を照射させ、非接触で１秒〜数秒の間に簡単に固着させ一体化する（貼り付ける）ことができるようになった。
また、別の特徴として、前記ＲＦＩＤチップは、熱収縮樹脂によって前記可搬性の記憶メディアと直接的に一体化するもしくは前記収納部材と一体化するようにしたので、熱風等を当てるだけで、非接触で簡単に一体化する（貼り付ける）ことができるようになった。
【発明を実施するための最良の形態】
【００９２】
以下に、本発明のシステムであるカラー画像形成装置ＭＦＰ（マルチファンクションプリンタ、あるいはマルチファンクションペリフェラルともいう）の実施の形態について説明する。なお、以下に示す実施の形態は例示であり、これに限定されるものではない。
【００９３】
図１、図２は本発明の画像形成システム（情報入出力システムといってもよい）に好適に適用される紙に代表されるシート状部材に色材を付与する代表例としての電子写真複写装置である。なお、紙の他に、ＯＨＰシートのような樹脂フィルムのようなものも好適に利用されるのはいうまでもない。
【００９４】
図１は、電子写真原理（カールソンプロセス）のエンジン部（画像形成部）を示したものであり、ここでは潜像担持体としての感光体ドラムをタンデム配列した乾式２成分現像方式のフルカラー作像装置の画像形成部を示している。
【００９５】
図２は、感光体ドラムをタンデム配列したフルカラー作像装置の全体構成を示す図で、図２において、４連タンデム型のカラー画像形成装置ＭＦＰ（マルチファンクションプリンタ、マルチファンクションペリフェラル）のほぼ中央に画像形成部１が配置され、この画像形成部１のすぐ下方には給紙部２が配置され、給紙部２には各段に給紙トレイ２１が設けられている。また、画像形成部１の上方には、原稿を読み取る読み取り部３が配設されている。画像形成部１の用紙搬送方向下流側（図示左側）には排紙収納部、所謂排紙トレイ４が設けられ、排紙された画像形成済みの記録紙が積載される。
【００９６】
画像形成部１では、図１に示すように、無端状のベルトからなる中間転写ベルト５の上方に、イエロー（Ｙ）、マゼンタ（Ｍ）、シアン（Ｃ）、ブラック（Ｋ）用の複数の作像部６（６Ｙ，６Ｍ，６Ｃ，６Ｋ）が並置されている。なお、図１では、各部の符号の後ろに色を表すＹ、Ｍ、Ｃ、Ｋを付けて各色の作像部を区別している。各々の作像部６では、各色毎に設けられたドラム状の感光体６１の外周に沿って、帯電装置６２、露光部６５、現像装置６３、感光体クリーニング装置６４などが配置されている。帯電装置６２は、感光体６１の表面に帯電処理を行い、露光部６５では、画像情報を感光体６１の表面にレーザ光で照射する露光装置７からのレーザ光が照射される。現像装置６３は、感光体６１の表面に露光されて形成された静電潜像をトナー現像して可視化し、感光体クリーニング装置６４は転写後に感光体６１の表面に残留したトナーを除去回収する。
【００９７】
作像プロセスとしては、中間転写ベルト５上に各色毎の画像が作像され、中間転写ベルト５上に４色が重畳されて１つのカラー画像が形成される。その際、最初に、イエロー（Ｙ）の作像部で、イエロー（Ｙ）のトナーを現像し、中間転写ベルト５に１次転写装置６６によって転写する。次に、マゼンタ（Ｍ）の作像部で、マゼンタのトナーを現像し、中間転写ベルト５に転写する。次に、シアン（Ｃ）の作像部で、シアンのトナーを現像し、中間転写ベルト５上に転写し、最後に、ブラック（Ｋ）のトナーを現像し、中間転写ベルト５上に転写し、４色が重畳されたフルカラーのトナー画像が形成される。そして、中間転写ベルト５上に転写された４色のトナー像は、給紙部２から給紙されてきた記録紙２０に２次転写装置５１で転写され、定着装置８によって定着された後、排紙ローラ４１によって排紙トレイ４に排紙され、あるいは両面装置９に搬送される。
【００９８】
両面印刷時は、搬送経路は分岐部９１で分岐され、両面装置９を経由して、記録紙２０は反転される。そして、レジストローラ２３で用紙のスキューが補正され、表面への画像形成動作と同様にして裏面への画像形成動作が行われる。一方、フルカラーのトナー像が転写された後、中間転写ベルト５の表面に残留したトナーは中間転写ベルトクリーニング装置５２によって除去回収される。なお、符号９２は両面装置９からの反転排紙経路である。
【００９９】
給紙部２は、給紙トレイ２１に未使用の記録紙２０が複数枚収容されており、最上位の記録紙２０がピックアップローラ２５に当接する位置まで、一端が給紙トレイ２１の底部に揺動可能に支持された底板２４の他端を上昇させる。そして、給紙ローラ２６の回転により、最上位の記録紙２０はピックアップローラ２５によって給紙トレイ２１から引き出され、給紙ローラ２６によって縦搬送路２７を介してレジストローラ２３側へと搬送される。レジストローラ２３は記録紙２０の搬送を一時止め、中間転写ベルト５上のトナー像と記録紙２０の先端との位置関係が所定の位置になるよう、タイミングをとって記録紙２０を送り出す。レジストローラ２３は前記縦搬送路２７からの記録紙２０の他に、手差しトレイ８４から搬送されてくる記録紙２０に対しても同様に機能する。なお、図２中、符号８１は分岐爪、符号８２はジャム紙排紙トレイであり、縦搬送路２７の下流側でジャムが生じたときに分岐爪８１が作動してジャム紙排紙トレイ８２に用紙を導出する機能を有する。
【０１００】
ところで、本発明の画像形成装置においては、連続して何枚も記録（プリントアウト）を行うことができるように給紙トレイ２１には、複数枚の記録紙２０がストックされる。こうすることにより、毎回画像形成装置のところまで記録紙２０を持っていってセットするという煩雑さから解放される。
また、この複数枚の記録紙２０は、そのストック量あるいは残量の有無を何らかの形で検出するようにしている。例えば、給紙トレイ２１を出て中間転写ベルト５へ搬送されるまでの搬送経路２７の途中のどこかに、記録紙２０の物理的な接触によってスイッチをオン／オフさせる手段を配置したり、あるいは記録紙２０をはさんで発光素子と受光素子を配し、記録紙２０の通過の有無を検出したりすることにより検出することができる。すなわち、それまで通過を検出していた記録紙２０が来なくなった時点で、給紙トレイ２１の記録紙２０がなくなった（残量がゼロになった）ということがわかる。
【０１０１】
また、このように記録紙２０が完全になくなる前の段階で、もう少しすると記録紙２０がなくなるという情報も重要である。その場合は、給紙トレイ２１にストックされている複数枚の記録紙２０の積層厚さ（高さ）を物理的に測るようにすればよい。例えば、ストックされている複数枚の記録紙２０に接触し、その積層厚さ（高さ）に応じて接触子が移動し、その移動量を電磁誘導コイルによって検出し、その変位を電気的信号に変え、記録紙２０の残量を検出することができる。あるいは、積層された複数枚の記録紙２０の積層高さを検出できるように、積層された複数枚の記録紙２０をはさんで、発光素子と受光素子を配し、その高さを光学的な信号の強弱で検出しても、同様に記録紙２０の残量を検出することができる。
【０１０２】
このように、記録紙２０がなくなった（残量がゼロになった）ということを検出する、あるいはもう少しでなくなるということを検出することは、通常の単なる複写機においては、記録紙２０を補給する信号を発するためであるが、本発明においてはそれ以上の意味を持つ。これに関しては後述する。
【０１０３】
読み取り部３では、コンタクトガラス３１上に載置される原稿（不図示）の読み取り走査を行うために、原稿照明用光源とミラーを搭載した第１及び第２の走行体３２、３３が往復移動する。この走行体３２、３３により走査された画像情報は、レンズ３４によって後方に設置されているＣＣＤ３５の結像面に集光され、ＣＣＤ３５によって画像信号として読み込まれる。この読み込まれた画像信号は、デジタル化され画像処理される。
【０１０４】
なお、読み取り密度（分解能）であるが、本発明においては必要に応じて、３００ｄｐｉ、６００ｄｐｉ、１２００ｄｐｉの密度で読み取ることができ、読み取り密度を選択する。また、赤（Ｒ）、緑（Ｇ）、青（Ｂ）の３原色フィルターによってフィルタリングされた後、ＣＣＤ３５によって画像信号として読み込まれ、カラー画像データとして取り込まれる。
【０１０５】
このようにして取り込まれたイメージ情報データは、いったんＭＦＰ内部のメモリに保存される。その際、読み込まれたままのビットマップデータとして保存してもよいし、ＪＰＥＧ等により１／１０〜１／１００程度の容量に圧縮したデータ（ＪＰＥＧデータ）として保存してもよい。取り込まれたイメージ情報データは、後述するように、必要に応じて電子写真原理やインクジェット原理等の印写データとして、あるいは可搬性記憶メディアへの保存データとして、さらにはネットワーク回線を通じて他の情報処理装置等にメイル配信されたりして使われるが、ＭＦＰ内部に長期に保存するような場合や、ネットワーク配信するような場合は、圧縮データとして保存したり、配信したりするほうが、ＭＦＰ自体のメモリ容量の負荷、ネットワークサーバの負荷、回線の負荷などを低減でき、また、ＭＦＰ内部および外部ネットワークにおけるデータ送受信の伝送速度の高速化がはかれる。
【０１０６】
次に、このような画像イメージデータは、画像処理信号に基づいて、露光装置７内のレーザダイオードＬＤ（不図示）の発光による感光体６１の表面に光書き込みに使用され、感光体６１の表面に静電潜像が形成される。ＬＤからの光信号は、ポリゴンミラーやレンズを介して感光体６１（それぞれイエロー（Ｙ）、マゼンタ（Ｍ）、シアン（Ｃ）、ブラック（Ｋ）用の感光体）に至る。また読み取り部３の上部には、原稿を自動的にコンタクトガラス上に搬送する自動原稿搬送読み取装置（Ａｕｔｏ  Ｄｏｃｕｍｅｎｔ  Ｆｅｅｄｅｒ  ＡＤＦ）３６が取り付けられている。
【０１０７】
ここで、本発明に適用される自動原稿搬送読み取装置（ＡＤＦ）３６について、図３を用いて説明する。これはシート状原稿を１枚ずつ搬送し、読み取り手段の読み取り面を通過させる過程で、原稿画像の読み取りを行うシートスルータイプのものである。また本発明ではシート状両面原稿を一回搬送する過程で両面の各画像原稿情報を読み取ることができるように、原稿搬送経路に沿った２カ所に読み取り手段を配置している。
【０１０８】
本発明の自動原稿搬送読み取装置（ＡＤＦ）３６は、被読み取り原稿束をセットする原稿セット部Ａ、原稿セット部Ａにセットされた原稿束から一枚ずつ原稿を分離して給送する分離給送部Ｂ、給送された原稿を一時突き当て整合する働きと、整合後の原稿を引き出し搬送する働きを有したレジスト部Ｃ、搬送される原稿をターンさせて原稿面を読み取り側（下方）に向けて搬送するターン部Ｄ、原稿の表面画像を、コンタクトガラス３１の下方より読み取りを行わせる第１読み取り搬送部（第１読み取り位置）Ｅ、表面画像読み取り後の原稿の裏面画像を読み取る第２読み取り搬送部（第２読み取り位置）Ｆ、表裏の読み取りが完了した原稿を機外に排出する排紙部Ｇ、読み取り完了後の原稿を積載保持するスタック部Ｈ、これらの搬送動作の駆動を行う駆動部、さらに、一連の動作を制御するコントローラ部とから構成されている。
【０１０９】
第１読み取り搬送部Ｅには、コンタクトガラス３１と、読み取りローラ３７と、コンタクトガラス３１の直下に停止した図示しない読み取り手段（第１読み取り手段）が配置されている。この第１読み取り手段は、原稿表面の画像を読み取る。
【０１１０】
第２読み取り搬送部Ｆには、ＣＣＤを備えた読み取り手段（第２読み取り手段）３８と、読み取りローラ３９が配置されている。この第２読み取り手段３８は、原稿上面（裏面）の画像を読み取る。読み取りローラ３９は、その周面を読み取り手段３８の読み取り面３８ａと非接触状態で対向配置されている。
【０１１１】
なお、本発明では、複数枚のシート状原稿を効率よく逐次、搬送、画像データ読み取りすることができるが、原稿が１枚だけであっても好適に利用できることはいうまでもない。また原稿の読み取りは、表裏両面の読み取りが可能であるが、原稿の種類に応じて、片面だけ読み取るようにしたり、両面読み取るようにしたりする。通常は、第１読み取り搬送部（第１読み取り位置）Ｅにおいて片面のみ読み取るようにしており、両面原稿の場合に第２読み取り搬送部（第２読み取り位置）Ｆにおいて第２読み取り手段３８によって、読み取るようにしている。
【０１１２】
ところで、本実施形態に係るカラー画像形成装置ＭＦＰ（マルチファンクションプリンタ、あるいはマルチファンクションペリフェラルともいう）は、前述のように光走査して原稿を読み取り、デジタル化して用紙に複写する、いわゆるデジタルカラー複写機としての機能の他に、読み取った原稿の画像情報データをＭＦＰ内部のメモリに保存したり、図示せぬ制御装置により原稿の画像情報を遠隔地と授受するファクシミリの機能や、コンピュータが扱う画像情報を用紙上に印刷するいわゆるプリンタの機能を有する多機能の画像形成装置である。
【０１１３】
これは、この装置単独でこのような機能を持たせているが、後述するように、ネットワークに接続されサーバ管理のもとに、他の各種装置（スキャナ、各種プリンタ、光ディスクドライブ、ハードディスクドライブ等）と協同動作させるシステムとすることも可能である。あるいは、本発明のＭＦＰ自体にいわゆるネットワークサーバの機能を持たせることも可能であり、上記のようなプリンタ機能、スキャナ機能、ファクシミリ機能、データ保存機能、データ編集機能、メイル配信機能等に加えて、ネットワークサーバ機能も持たせて１台の（１箇所に集中して構成した）情報入出力装置としてもよい。
【０１１４】
次に、紙に代表されるシート状部材に色材を付与するもう１つの代表例としてのインクジェット記録原理を簡単に説明する。
いわゆるインクジェット記録と呼ばれているものは、その原理によって種々の方法が存在するが、ここではその一例として、熱を利用するサーマルインクジェット方式で説明する。なお、ここではサーマルインクジェット方式によって説明するが、他のピエゾを利用したオンデマンド方式、あるいは荷電制御型とよばれるいわゆる連続流型のインクジェットであっても本発明に好適に利用できることはいうまでもない。
【０１１５】
図４は、インクジェットヘッドユニットの一例を説明するための図で、図４（ａ）は全体斜視図、図４（ｂ）は分解斜視図である。このヘッドユニット６７は、直径１０μｍ〜３０μｍ（丸ではなく他の形状の場合、その開口は面積換算で１００μｍ2〜７００μｍ2程度）の微細なインクを噴射するノズルを有したヘッドチップ６８と、そこにインクを供給するためのインク容器部７０とを一体的に形成したものである。ヘッドチップ６８は、ＦＰＣ（フレキシブルプリントサーキット）６９に接続され、ＦＰＣに設けられた電気接点をキャリッジ側の接点（図示せず）と接触することにより、プリンタ本体側より電気信号を受け取り、インクを噴射して記録を行うようになっている。７１は裏蓋、７２はインク吸収体で、インク吸収体７２は、インクを含浸させたスポンジであり、キャリッジが移動して振動しても、容器内部でインク中に泡が発生するようなことはないような構成となっている。インク吸収体７２に含浸されているインクを使いきった時点で、このヘッドユニット全体を交換するようなっている。
【０１１６】
次に、図５を参照しながらインクの噴射原理について説明する。図５（ａ）〜図５（ｅ）は、サーマルインクジェト方式においては吐出口の近傍を断面図で示したものである。図５（ａ）は定常状態であり、吐出口部でインク１０の表面張力と外圧とが平衡状態にある。図５（ｂ）は発熱体１１が加熱されて該発熱体１１の表面温度が急上昇し、隣接インク層に膜沸騰現象が生じ、沸騰膜を作り、気泡１２が成長した状態である。この時、吐出口部の圧力は、気泡の成長した分だけ上昇し、外圧とのバランスがくずれ、吐出口よりインク１０の柱（インク柱）が成長しはじめる。図５（ｃ）は気泡１２が最大に成長した状態であり、吐出口部からインク１０の柱（インク柱）が押し出される。この時、発熱体１１には電流が流れていない状態にあり、発熱体１１の表面温度は降下しつつある。気泡１２の体積の最大値は電気パルス印加のタイミングからややおくれる。
【０１１７】
図５（ｄ）は気泡１２がインクなどにより冷却されて収納した状態を示す。インク１０の柱（インク柱）の先端部では、押し出された速度を保ちつつ前進し、後端部では気泡１２の収縮にともない吐出口内圧の減少によりインクが逆流し、インク１０の柱（インク柱）の根本がくびれ、その後、くびれ部から切断されて、インク滴１３となって空中に飛翔する。吐出口部では、外圧が吐出口内圧より高い状態になるため、メニスカスが大きく吐出口内に入りこんできている。インク滴１３の先端部は８〜１８ｍ／ｓの速度をもち、記録紙の方向に飛翔する。図５（ｅ）は吐出口部にインクが毛細管現象により再び供給（リフィル）されて、図５（ａ）の状態にもどる過程で気泡は完全に消滅している。
【０１１８】
なお、このような原理の他に、発熱体の駆動制御の仕方や吐出口部のディメンションを選び発生した気泡１２によって、気泡１２の前方にあるインクをほぼ全部吐出口の外に押し出す方式も可能である。その場合、前記の方式に比べ、気泡１２の収縮にともなうインクの逆流、インク１０の柱（インク柱）の根本がくびれるという現象がない分、１吐出口あたりのインク滴形成頻度（駆動周波数）を１５ｋＨｚ〜５０ｋＨｚというように高くでき、印写スピードを上げられるというメリットがある（前述の方式では５ｋＨｚ〜１２ｋＨｚ程度が安定駆動できる範囲）。
【０１１９】
以上のような原理、構成のインクジェットヘッドは、イエロー（Ｙ）、マゼンタ（Ｍ）、シアン（Ｃ）の３色ないしは、それにブラック（Ｂ）を加えた４色の印写を行えるように、図６に示すようなキャリッジに搭載され、紙面の前をシリアル運動をしながら記録を行う。
【０１２０】
図６において、７３は記録紙、７４はインクジェットヘッドユニットであり（図４に示したヘッドユニットを４色分ならべたものである。ただし、図の形状は一致していない）、７４Ｙ、７４Ｍ、７４Ｃ、７４Ｂはそれぞれ、イエロー（Ｙ）、マゼンタ（Ｍ）、シアン（Ｃ）、ブラック（Ｂ）を印写できるようになっている。７５は各ヘッドのノズル、７６はキャリッジ、７７はキャリッジのガイドロッド、７８はキャリッジを移動させるためのネジ棒、７９は記録紙搬送ローラ、８０は記録紙押えコロである。
【０１２１】
以上の説明により、シート状部材に色材を付与する代表例として、電子写真原理、インクジェット原理の出力手段を説明したが、使用する用途に応じて、その出力手段の違うそれぞれのＭＦＰを適宜選べばよい。
例えば、電子写真原理の場合、高速出力を得意とし、その記録速度は１分間にＡ４サイズ用紙で２０枚〜１００枚、あるいはそれ以上という能力をもっている。
【０１２２】
一方、インクジェット原理の場合、比較的簡単な構成でカラー出力ができる。しかも電子写真原理の場合のように、感光体ドラムの幅によってある程度出力できる紙のサイズが限定されるが、インクジェット原理の場合は、そのような限定要因はなく、大判の紙（Ａ０〜Ａ２）や、バナー状の長い用紙への出力が可能である。
【０１２３】
図７は、このような本発明のシステムの一例であり、紙などの記録媒体に印字を行うプリンタ部の電気信号を処理する部分の構成、光メモリへの情報書き込み部の電気信号を処理する部分の構成、スキャナからの情報取り込み部の電気信号を処理する部分の構成などを詳細に示したものである。
【０１２４】
図７において、３０１はＣＰＵで、プリンタの各部の制御を行うためのものである。３０２はＲＡＭであり前記ＣＰＵが演算した結果や、プリンタなどが扱う画像データなどを一時的に記憶しておくためのものである。３０３はＲＯＭであり、前記ＣＰＵが動作するためのプログラムや、画像データを生成するためのフォントデータなどが格納されている。３０４は、前記ＣＰＵ、ＲＡＭ、ＲＯＭが接続されているローカルバスである。３０５はＩ／Ｏバスであり、機能拡張用の内部Ｂｕｓである。３０６は前記ローカルバスとＩ／Ｏバスを接続するためのブリッジ回路である。
【０１２５】
３０７はプリンタ部で、紙などの記録媒体に画像を形成するための部分である。このプリンタ部は、前記のような電子写真原理（カールソンプロセス）による作像方式以外にインクジェット方式（サーマル、ピエゾ等）などさまざまな形式のプリンタ部が存在する。３０８はプリンタインターフェース部であり、前記プリンタ部とＩ／Ｏバスを接続するためのものであり、ＣＰＵ３０１の指示に従ってＲＡＭ３０２に格納されている画像データをプリンタ部３０７へ転送することが可能である。
【０１２６】
３０９は光ディスクドライブであり、光ディスク（メモリ）から情報を読み取ったり、光ディスク（メモリ）に情報を書き込んだりするための部分である。３１０は光ディスクドライブインターフェース部であり、前記光ディスクドライブとＩ／Ｏバスを接続するためのものであり、ＣＰＵの指示に従って、前記光ディスクドライブから転送される電子データを、ＲＡＭ３０２に転送したり、ＲＡＭ３０２から光ディスクドライブ３０９へ転送することが可能である。
【０１２７】
３１１はスキャナ部で、図示しない原稿台に置かれた原稿から読み取った光学的な信号を、ＣＣＤなどを用いて電子データに変換し、その電子データを転送するための部分である。３１２はスキャナインターフェース部であり、前記スキャナ部３１１とＩ／Ｏバス３０５を接続するためのものであり、ＣＰＵの指示に従って、前記スキャナから転送される原稿を読み取った電子データを、ＲＡＭ３０２に転送することが可能である。
【０１２８】
３１４はＩＤＥインターフェース部、３１３はハードディスクドライブであり、画像データのスプールを行ったり、３０１のＣＰＵがさまざまな処理を行うためのプログラムなどを格納させておくためのものである。
３１５はネットワークインターフェースコントローラであり、ローカルエリアネットワークへ接続するために使用される。３１６はイメージプロセッシングユニット（以下ＩＰＵ）であり、解像度変換などの画像処理を行うためのものである。
【０１２９】
３１７はラスタイメージプロセッサであり、ＣＰＵ３０１の指示により、ネットワークインターフェースコントローラ３１５を経由して外部から転送されたページ記述言語の画像データをビットマップ画像へ展開し、ＲＡＭ３０２へ展開したビットマップデータを格納するために使用される。３１８はビデオＲＡＭで、ＣＰＵにより外部のＣＲＴやＬＣＤパネルに表示した表示データが書き込まれるものである。３１９はビデオインターフェース部であり、ＶＲＡＭに格納されている表示データを外部のＣＲＴやＬＣＤパネルに表示するためのインターフェースである。３２０は拡張Ｉ／Ｏインターフェース部であり、たとえば、携帯機器などとＣＰＵ３０１が通信などを行うためのインターフェース回路である。通信形態はシリアル通信や、バイセントロインターフェース、またはＢｌｕｅｔｏｏｔｈなどの無線通信などの形式がある。
【０１３０】
以上の説明より明らかなように、本発明においては、情報の入力部と処理部と記憶部と出力部とよりなり、これらの各部あるいは各種装置は、無線、有線、光伝送等によってネットワーク接続されて情報のやりとりが行われる。また、それぞれの装置は分散配置することができるが、必要に応じて、各部あるいは各種装置を１箇所に集中、配置して構成してもよい。
【０１３１】
ここで補足しておくが、本発明でいう情報の入力部とは、単にスキャナ部のみならずＩ／Ｏインターフェース部、さらには、説明を省略しているがキーボードやタッチパネルあるいはデジタルスチルカメラ、デジタルビデオカメラなどのイメージキャプチャーデバイス等の情報入力手段も含むものである。また、処理部あるいは記憶部に関しても、それの意味するところは、デバイスあるいはデバイスユニットとしてのＣＰＵ、ＲＡＭ、ＲＯＭはいうに及ばず、ネットワークシステムに組み込まれたＰＣ、サーバなども含むものである。出力部も同様に、Ｉ／Ｏインターフェース部、情報表示のディスプレイ、各種プリンタ、ストレージ／メモリ等への情報書き込み装置も含むものである。
【０１３２】
前述のように、本発明のシステムは分散あるいは１箇所に集中させて構成できるが、さらに、上記画像形成装置ＭＦＰ（マルチファンクションプリンタ、マルチファンクションペリフェラル）内部に所望の装置やサーバ機能、大容量のメモリを搭載、配置するようにするのも好適な構成である。すなわち、このようなネットワークシステム全体、あるいはその機能を凝縮した形でＭＦＰという１台のマシン内部に一体的に構成することにより、全ての作業がＭＦＰ１台でできてしまうという画期的な画像形成装置が実現する。
【０１３３】
図８は、その１例であり、紙への出力機能である電子写真原理（カールソンプロセス）のＭＦＰに、光ディスクドライブを組み込んだ構成である。図８中、８５は光ディスクドライブユニット、８６は未使用のメディアストック部である。なおこの例は、紙への出力装置として電子写真原理（カールソンプロセス）を利用したものであるが、前述のインクジェット原理であってもよい。
【０１３４】
使用方法は、例えばマイクロソフト社のＷｏｒｄ（登録商標）ファイル、ＥＸＣＥＬ（登録商標）ファイル、ＰｏｗｅｒＰｏｉｎｔ（登録商標）ファイルなど、あるいは、アドビ社のＰＤＦファイルに変換したものなどのファイルデータをＭＦＰ内部のメモリに保存し、必要に応じて紙出力する。またそのファイルデータを組み込まれた光ディスクドライブユニット８５を使用し、メディアストック部８６から搬送、設置された未使用のＤＶＤ−Ｒ、あるいはＤＶＤ−ＲＷ等に焼く（ｂｕｒｎ）ことにより、電子データとして持ち運びできる光ディスク（可搬性ストレージ）を作成する。なお、これら紙文書の出力と光ディスクの作成は、（ほぼ）同時に行ってもよいし、必要に応じて一方だけ（紙文書のプリントアウト、あるいは光ディスクの作成）行ってもよい。
【０１３５】
また、光ディスク等の可搬性の記憶メディアに、記録紙等のシート状部材に色材を付与する（プリントアウトする）際に、文字や画像の出力（プリントアウト）した情報のみならず、それらをどのように出力したのか（レイアウト、両面印刷か、片面印刷か）、あるいは、複数枚プリントアウトした際の帳合いをどうしたのか、ステイプラーによってとめるようにしたのかなど、出力フォーマット情報もあわせて書き込むようにしている。
こうした情報を可搬性の記憶メディアに書き込んでおくことにより、仮にプリントアウトした紙文書を紛失、破棄等しても、この可搬性の記憶メディアを用いることにより、前の紙文書を全く同じ条件で、再現、再生産することができる。
【０１３６】
さらに、本発明に適用される光ディスク等の可搬性の記憶メディアは、その情報の記憶容量が、記録紙等のシート状部材に比べて圧倒的に大であるため、上記出力フォーマット以外にも、もとのデータを加工した情報も記憶することができる。例えば、出力（プリントアウト）されるレイアウトや出力フォーマットも決められた文書情報の他に、単なるキャラクターのコード情報を記憶したり、画像情報も圧縮された情報の他に、圧縮前の情報もあわせて記憶したりしておくことができる。このように、可搬性の記憶メディアに単に紙文書に出力した情報だけではなく、各種生情報、あるいは加工情報なども記憶しておくことにより、あとでこの可搬性の記憶メディアの情報を有効に活用することができる。このようなことができるのも、可搬性の記憶メディア記憶できる記憶容量が紙などに記憶できる情報（プリントアウト情報）に比べて圧倒的に大きいからである。
【０１３７】
このような本発明のＭＦＰは、前述のように、これ１台で、プリンタ機能、スキャナ機能、ファクシミリ機能、データ保存機能、データ編集機能、メイル配信機能、ネットワークサーバ機能等を持った情報入出力装置であるが、前述のように、このＭＦＰもネットワークインターフェースコントローラ３１５等を介して、ローカルエリアネットワークやインターネットなどの通信網に接続し、ネットワークの１端末という使い方をしてもよい。その場合、スキャナでイメージ情報を取り込み、そのままあるいはＪＧＥＧ等で圧縮して、有線あるいは無線でネットワークに接続されたＰＣにメイル配信するという便利な使い方ができる。
【０１３８】
インターネットなどの通信網上には、各種のサーバが接続されており、情報の検索を行う検索サーバ、または、電子データなどを蓄積し、ユーザからの要求によって内部に保持している電子データを配信するなどのサービスを行える配信サーバ、さらに携帯電話などの携帯機器に対して各種サービスや、課金の制御を行える携帯機器のためのサービスを行うサーバなどがある。
【０１３９】
本発明のＭＦＰは１台の装置の中に各種機能（マルチファンクション）を盛り込んだ情報入出力装置であり、ユーザはこのＭＦＰの前で所定の操作を行い、データ編集したり、プリントアウト、コピーといった一連のＭＦＰの機能動作を行うことができ、さらにインターネットなどの通信網を介して、各種データを発信できる。
【０１４０】
そのデータは、前述のように、スキャナで読み込まれたイメージ情報の他に、デジタルビデオやデジタルカメラ等で取り込まれたビデオデータ（動画データ）、写真データ（静止画）も含まれる。これらのデータも、デジタルビデオやデジタルカメラ等で直接ＭＦＰ内の記憶部（メモリ）に入力、保存されてもよいし、可搬性の記憶メディアを媒体として、ＭＦＰに入力、保存されてもよい。またデータの種類に応じて、適宜、ＪＰＥＧ、ＭＰＥＧ、ＧＩＦ、ＴＩＦＦ等の圧縮技術によって圧縮され、保存される。
【０１４１】
他に、前述のようなマイクロソフト社のＷｏｒｄ（登録商標）ファイル、ＥＸＣＥＬ（登録商標）ファイル、ＰｏｗｅｒＰｏｉｎｔ（登録商標）ファイルなど、あるいはアドビ社のＰＤＦファイルに変換したものなどのファイルデータもネットワーク配信によってＭＦＰ内部のメモリに保存される。つまり本発明のＭＦＰは、データバンク、データライブラリー的な機能も持つものである。
【０１４２】
この場合、本発明のＭＦＰはネットワークセンターマシンとして各種情報処理装置やＰＣに命令を出し、各種情報処理装置やＰＣの保有する各種データ、ファイルなどを吸い上げ、ＭＦＰ内部のメモリに保存される。この作業は、ユーザがこのＭＦＰの前で所定の操作を行うことによっても実行できるし、ネットワーク接続された別のＰＣ等からの操作によってＭＦＰに命令を出して実行する（メモリに保存）こともできる。なお、ＭＦＰへのメモリ保存は可搬性の記憶メディアを媒体として行うこともできることはいうまでもない。
【０１４３】
そして、このようにＭＦＰ内に保存された各種データは、ユーザによるＭＦＰ操作によるＭＦＰ自体の命令によって、編集されたり、ネットワーク配信で各種情報処理装置やＰＣに送ることができる。また、一度に複数の各種情報処理装置やＰＣに送ることができる。
一方で、本発明においては、このようなＭＦＰをネットワークセンターマシンあるいはネットワークサーバとして使用する他に、ネットワークの端末としての使用法もある。
【０１４４】
そのような場合、今度は、ネットワーク接続された各種情報処理装置やＰＣからの命令、要求を受けて、上記各種データを、編集したり、配信したり、紙メディアに出力（文書出力）したり、後述するような可搬性記憶メディアへの出力（可搬性記憶メディアの作成）を行う等、本発明のＭＦＰが持つ機能を実行する。この場合も、ネットワーク接続された各種情報処理装置やＰＣからの命令によって、ＭＦＰを介して、複数の他の各種情報処理装置やＰＣへ同時あるいは逐次、データ配信するというネットワークサーバ的な使い方ができる。
【０１４５】
次に、本発明に適用される可搬性の記憶メディア、ストレージの代表例として、光ディスクメディアの例をあげて説明する。いうまでもないが、本発明の可搬性の記憶メディア、ストレージはこの例に限定されるものではない。
【０１４６】
図９〜図１２は、本発明の光ディスクドライブユニットに情報を書き込まれる前の光ディスクメディアを供給、搬送する手段を説明する図である。
本発明においては、情報を書き込まれる前の光ディスクメディアは複数枚ストックされており、必要に応じて１枚ずつ光ディスクドライブユニットに運ばれ、情報書込みが行われる。
【０１４７】
図９は、本発明の光ディスクメディアを複数枚（この例では７枚）ストックされたマガジン１００を示しており、このマガジン１００はマガジン表面に表示された三角形の方向表示印１０１を矢印Ａの方向に向けて図１０に示すように、光ディスクドライブユニット１０９に矢印Ａの方向に挿入される。
【０１４８】
図１１は、挿入された後の光ディスクメディア１０３を図１０に示した光ディスクドライブユニット１０９の書き込み部１１０に搬送する動作を説明するための図であり、搬送トレイ１０２に搭載された光ディスクメディア１０３は、搬送トレイ１０２に設けられたフック溝１０４に２つのフック１０６を引っ掛け、図１０に示した矢印Ｃ方向に動作するフック１０６によって引き出される。
【０１４９】
図１２は、搬送トレイ１０２に搭載された光ディスクメディア１０３が引き出されたときの状態を示す断面図である。
その後、光ディスクメディア１０３は、書き込み部１１０において、書き込み部１１０の上下動作（図１０の矢印Ｄ方向の動作）を利用して穴１０５に図１０に示した回転軸１０７が勘合され、搬送トレイ１０２はマガジン１００に戻される。１１１は、光ディスクメディア１０３が回転軸１０７に勘合されても搬送トレイ１０２をマガジン１００に戻すことができるようにするための搬送トレイ１０２に設けられた切り欠き部である。
【０１５０】
回転軸１０７に穴１０５を勘合した後、光ディスクメディア１０３はその記録層にピックアップ１０８から発せられるレーザ光によって情報書き込みを行う。ピックアップ１０８によって情報が書き込まれた後、前述の搬送動作で説明した手段と同等の図示しない手段によって、搬送動作と逆の動作によって図１０の矢印Ｂの方向に搬送、排出されて作業が終了する。
【０１５１】
以上に、本発明の光ディスクドライブユニットに情報を書き込むための光ディスクメディアを供給、搬送する手段の１例を示したが、本発明の光ディスクメディアは必ずしもこのような、円盤型（外径１２０ｍｍ、厚さ１.２ｍｍ、穴径１５ｍｍ、記憶容量ＣＤフォーマットで６５０ＭＢもしくは７００ＭＢ）に限られるものではない。同じ円盤型であっても、外径８０ｍｍで記憶容量がＣＤフォーマットで１８５ＭＢのものや、矩形形状（カード型）で名刺サイズの５８ｍｍ×８６ｍｍ×１ｍｍで記憶容量がＣＤフォーマットで１８ＭＢ〜５０ＭＢのもの、さらには、星型、卵型、その他任意の形状の外形形状、寸法の光ディスクメディアが適用される。
【０１５２】
また、その記憶容量も、７８０ｎｍのレーザ波長を用いるＣＤフォーマットで２０ＭＢ〜７００ＭＢ、６３５ｎｍ／６５０ｎｍのレーザ波長を用いるＤＶＤフォーマットで４.７ＧＢ〜１７ＧＢ、さらには、４０５ｎｍ波長の青色レーザを使用するＢｌｕ−ｒａｙ  Ｄｉｓｃ（あるいはＨＤ  ＤＶＤ）等のフォーマットで、２３.３ＧＢ〜２７ＧＢ（ＨＤ  ＤＶＤは片面１５ＧＢ、両面３０ＧＢ）といったものまでその用途に応じて選択、使用すればよい。
【０１５３】
なお、記録密度、容量の他に、原理的な違いで見ると、データ記録層に感光性の有機色素（シアニン系、フタロシアニン系、アゾ系、スクアリリウム系等）を使用し、この色素に読み取り用よりも強いレーザ光を当て、色素に半永久的な反射率の変化を起こさせ、この変化を記録データとする１回だけ書き込み可能なＲ（Ｒｅｃｏｒｄａｂｌｅ）メディアと呼ばれるものがある。
【０１５４】
記録フォーマット、容量の違いにより、ＣＤ−Ｒ、ＤＶＤ−Ｒ、ＤＶＤ＋Ｒ等がある。色素の反射率変化は半永久的で、非可逆性の反応であるため、１回の書き込みしかできないが、有機色素を使用し、室内でスピンコーティング等によって記録層を形成できるため、量産性に優れ、後述の書き換え可能なメディアに比べて生産コストが安いというメリットがある。またアーカイブ的な使用に好適なメディアであり、記録データの修正の必要がない場合、あるいは改ざんされると困る場合に、大変好都合に使用されるメディアである。
【０１５５】
また、メディア１枚あたりの値段が安いため、本発明のように紙文書を出力すると同時に、そのデータ（ファイル等）を電子データとしてこのＲメディアに書き込んで、大勢の人に配布したりするという使用法に大変都合がよい。
【０１５６】
さらに、他の光メモリメディアとしては、データ記録層に結晶とアモルファスの相変化が可能な材料を利用するＲＷ（ＲｅＷｒｉｔａｂｌｅ）メディアと呼ばれるものがある。このような材料としては、例えば、Ａｇ−Ｉｎ−Ｓｂ−Ｔｅ（銀−インジウム−アンチモン−テルル）の四元素の合金がある。
【０１５７】
結晶相を一気に融点にまで昇温し、不規則な原子の状態をつくり出す。これがアモルファス状態で、つぎに、この状態を急速に冷却すると、原子はばらばらな状態でフリーズされ、温度が下がってもアモルファス相が形成されている。
【０１５８】
一方、融点には至らない、やや中間的なレベルにまで昇温しておいて比較的ゆっくり冷えるように温度管理をしてやると、今度は原子が元の状態に組み替わることができ、結晶相が形成される。データを消去する場合には、このようにして結晶相に変化させる。
【０１５９】
アモルファスとは原子の配列が乱雑な状態で、結晶と比べて反射率が低くなる。この変化をピットとランドとしている。ＲＷメディアには、この２つの温度を再現できるように、出力の異なったレーザが備えつけられている。
この結晶とアモルファスの相変化は、可逆的に反応させることができるので、前述のＲメディアとは異なり、再書き込みができるという特徴がある。
このメディアの場合も、記録フォーマット、容量の違いにより、ＣＤ−ＲＷ、ＤＶＤ−ＲＷ、ＤＶＤ＋ＲＷ等がある。
【０１６０】
なお、前述の青色レーザを使用するさらには４０５ｎｍ波長の青色レーザを使用するＢｌｕ−ｒａｙ  Ｄｉｓｃ、あるいはＨＤ  ＤＶＤ等も、同様に、非可逆性の反応あるいは可逆性の反応を利用した材料を使用し、Ｒメディア、ＲＷメディアが実現でき、本発明に好適に使用できる。
【０１６１】
ところで、このような光メモリは、図９等に示したように、ある数量の光ディスクメディアを収納したマガジン単位で供給されるが、高速書き込みを必要とするような場合には、このマガジンにストックされている光ディスクメディアをあらかじめ、フォーマット化したメディアとするのがよい。
【０１６２】
例えば、ＣＤの例で説明するならば、Ｗｉｎｄｏｗｓ（登録商標）でＣＤ−Ｒに書き込みを行う場合、各種のＯＳ別論理フォーマット（Ｒｏｍｅｏ、Ｊｏｌｉｅｔ、ＲｏｃｋＲｉｄｇｅ、ＩＳＯ９６６０など）がある。本発明のＭＦＰにおいては、毎回、データ書き込みを行うたびに、光ディスクメディアをフォーマット化するのではなく、例えば、たいていのＯＳで読めるようなＩＳＯ９６６０レベル１にあらかじめフォーマット化してある光ディスクメディアをマガジンに収納しておく。それにより、使用時にフォーマット書き込みに要する時間が不要となり、データ書き込みがすぐに行え、情報が書き込まれた光ディスクメディアの作成時間を短縮することができる。
【０１６３】
通常、最もよく使用するフォーマットはあらかじめフォーマット化した光ディスクメディアが即使えるような状態にして供給する（フォーマット化した光ディスクメディアをドライブのピックアップ部分に設置する）ようにしておけばよいが、場合によっては、そのフォーマットとは違うフォーマットで書き込みたい場合も出てくる。そのような点を考慮し、光ディスクメディアの供給手段を２系統にしておくのもよい方法である。
【０１６４】
例えば、通常、最もよく使用するフォーマットは、フォーマット済みで供給し、他のフォーマットで書き込みたい場合を想定した未フォーマットのものを準備しておき、それは光ディスク作成に多少時間が余計にかかっても、フォーマット化ならびにデータ書き込みを本発明のＭＦＰ（内の書き込みドライブ）で行うという使い方である。
【０１６５】
フォーマット化済みあるいは未フォーマットの光ディスクメディアは、それぞれ、図９に示すように、複数枚ずつマガジンに収納して供給してもよいし、あるいは、通常最もよく使用するフォーマットのもののみ、このような複数枚ずつマガジンに収納して供給し、たまにしか使用しないような特殊フォーマットで書き込むような場合は、頻度が少ないので１枚ずつ手差し供給するようにしてもよい。
【０１６６】
以上、本発明の可搬性の記憶メディア、ストレージとして純粋な光メモリを中心に説明をしたが、他の可搬性の記憶メディアとして本発明に好適に使用できるものとして、ＭＯとして知られる光磁気ディスク（Ｍａｇｎｅｔｏ  Ｏｐｔｉｃａｌ  Ｄｉｓｋ）、光磁気メモリがある。容量は、１２８ＭＢ、２３０ＭＢ、６４０ＭＢ等あり、使用用途によって適宜選ばれる。
【０１６７】
動作原理は、磁性体でできたディスクの記録層（磁性体の材料として、各種磁性ガーネットやマンガン・ビスマス合金、バリウム系フェライトなどを使用）にレーザ光を照射して加熱し、約２００度に温度が上がったところで、磁界をかけて磁性体の向きを変えて書き込み（記録）を行い、データを読み出す際には、書き込み時よりも低出力のレーザ光を照射し、その反射光の違いを検知することによってデータを読み出すというものである。
【０１６８】
ＭＯは、磁気の影響を受けない、ヘッドクラッシュがないなどの理由から、信頼性が高く、前述の光メモリ同様、本発明の情報入出力装置に組み込まれる可搬性の記憶メディアとして大変好適なメディアである。
【０１６９】
次に、本発明の可搬性の記憶メディアとして好適に使用される他の記憶メディアとしては、半導体フラッシュメモリがある。通常、ＤＲＡＭなどは、電源を切るとデータが失われてしまい、本発明の可搬性の記憶メディアとしては不適であるが、フラッシュメモリは不揮発性でありそのようなことがない。ＵＳＢフラッシュメモリ、スマートメディア、コンパクトフラッシュ（登録商標）、メモリスティック等、カード型やスティック型などの形状、サイズ、容量等いろいろあるが、いずれも持ち運びに便利なものである。
【０１７０】
なお、他に同様に不揮発性メモリとして、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）として知られる半導体メモリがあり、これも本発明の可搬性の記憶メディアとしては好適に使用できる。
【０１７１】
いずれも、電源を切ってもデータが消えることなく保存され、さらに前述の光メモリとは異なり、動作時に機械的な可動部分がなく、全て電気的制御で使用でき、高速応答ならびに信頼性が高い、大変使用しやすいものである。
以上、本発明に適用される各種可搬性の記憶メディア、ストレージの代表例を説明したが、本発明はここにあげた例に限定されるものではない。
【０１７２】
本発明のポイントは、情報の出力、記憶（記録）という場面において、紙メディアと可搬性の電子情報記憶／記録メディアとの融合を目指し、それらが互いに関連付けられるとともに、その機能を果たす１台の装置（あるいは一箇所にシステム構成された装置）としてまとめあげられ、紙メディアへの情報出力（プリントアウト）がなされると同時、もしくは必要に応じて、該情報を可搬性の電子情報記憶／記録メディアへ記録し、それらを１台の装置（もしくは一箇所にシステム構成された装置）で受け取ることができるというものである。つまり、紙のプリントアウト書類と記憶メディア、ストレージを１台の装置から、もしくは（分散配置された別々の装置からはなく）一箇所で受け取ることができるというものである。
【０１７３】
また、記憶メディア、ストレージを複数個ストックしたマガジンを装置本体に着脱可能に設置し、必要に応じて、記憶メディア、ストレージをドライブ部分（情報書き込み部分、ピックアップ部分）に搬送し、情報書き込みを行う例として、光ディスクの例をあげて説明したが、本発明は光ディスクだけに限定されるものではなく、他の記憶メディア、ストレージであっても、そのマガジンの形態、搬送の形態、情報の書き込み（記憶）／読み取り手段の形態は少しずつ異なるが、考え方は同じであって、同様に適用されるものである。そして、それらも複数個ストックされる。
【０１７４】
ここで、このように情報を書き込まれる前の可搬性の記憶メディアを複数枚ストックすることの意味は、前述の画像形成装置のところで説明したように、記録紙２０を複数枚ストックするのと同様である。すなわち、本発明のＭＦＰに搭載された可搬性の記憶メディア（今この場合は光ディスクメディアで説明している）への情報書き込みを行う際に、連続して何枚もの情報書き込みされた可搬性の記憶メディアを生産する場合、毎回画像形成装置のところまで可搬性の記憶メディアを１枚ずつ持っていってセットするという煩雑さをなくすためである。
【０１７５】
本発明の画像形成装置は、前述のように、ネットワーク回線に接続されて使用されることが多いため、使用者は、その装置の場所から離れて使用する場合が多いため、このように記録紙２０や可搬性の記憶メディアを１枚ずつ補給するためにその場所まで来るというのは大変煩雑である。よって、このように、それらを複数枚ストックしているというのは大変効果がある。
【０１７６】
ところで、前述のように本発明の画像形成装置は、情報の紙文書への出力（プリントアウト）とその情報にもとづいて情報書き込みされた光ディスクに代表されるような可搬性の記憶メディアの生産を行うものであるが、一般に、このような可搬性の記憶メディアは、紙等へプリントアウトする情報量よりもはるかに大容量の情報を書き込む（記憶する）ことができる。したがって、本発明の使用方法の１例として例えば、紙文書に出力した情報と同様の情報を光ディスクに代表されるような可搬性の記憶メディアに書き込んだ場合、これは文書のデータ容量にも依存するが、一般に数十枚〜数千枚の紙文書（例えばＡ４サイズで）であっても、１つの可搬性の記憶メディアに余裕を持って書き込むことが可能である。
【０１７７】
このことは、本発明において、単純に記録紙に代表されるシート状部材を１枚、２枚と数え、可搬性の記憶メディアも１枚、２枚（あるいは１個、２個）と数えた場合、本発明の画像形成装置においては、その消費量を考慮した場合に、その複数のシート状部材は、複数の可搬性の記憶メディアよりも多くストックしておく必要があるということを意味する。その比率は、個々の使用方法において必ずしも一定ではないが、シート状部材にプリントアウトされる情報量と、可搬性の記憶メディアに書き込むことのできる情報量（記憶容量）を考慮すると、本発明におけるそれらのストック量が、少なくともシート状部材は、可搬性の記憶メディアの１０倍以上多くなるように、その給紙トレイ（シート状部材ストックトレイ）や、可搬性の記憶メディア収容マガジンの収容能力とすべきである。このようにしておけば、両者のストック量のアンバランスによる補給頻度の著しい増加を解消することができる。
【０１７８】
さらに、前述の画像形成装置のところで記録紙２０のストック量あるいは残量を検出することを説明したのと同様に、本発明の可搬性の記憶メディアも、そのストック量あるいは残量の有無を検出するようにしている。その手段も、記録紙２０の場合と同様、あるいはそれを多少修正した手段によって実現できる。すなわち、可搬性の記憶メディアを収容したマガジンを間にはさんで発光素子と受光素子を配し、可搬性の記憶メディアの有無を検出したり、使用された量をカウントしたりして、マガジン内の残量を検出することができる。
ここで、本発明の画像形成装置のより特徴的な点について説明する。本発明では、前述のように、記録紙に代表されるようなシート状部材ならびに可搬性の記憶メディアをそれぞれそのストック量あるいは残量を検出するようにしている。
【０１７９】
ところで、従来複写機において、用紙切れを検出、表示する技術は一般に行われているが、ここで説明する本発明でストック量あるいは残量を検出するようにしている技術は、複写機のそれとは意味が違うものである。すなわち、複写機における用紙切れ検出／表示技術は、単に使用者に用紙補給を促すだけのものであるが、本発明においては、記録紙に代表されるようなシート状部材ならびに可搬性の記憶メディアをそれぞれそのストック量あるいは残量を検出するようにし、いずれかのストック量がゼロになった場合に、シート状部材への色材付与あるいは可搬性の記憶メディアへの情報書き込みを停止するようにしている。例えば、シート状部材のストックがゼロになったら、可搬性の記憶メディアへの情報書き込みを停止する、あるいは逆に、可搬性の記憶メディアのストックがゼロになったら、シート状部材への色材付与（プリントアウト）を停止するという具合である。
【０１８０】
こうすることにより、一方のストック量がゼロになった場合に他方への出力（プリントアウトあるいは記憶メディアへの情報書き込み）を継続することによるシート状部材あるいは可搬性の記憶メディアの無駄な消費を避けることができる。
【０１８１】
この点は、本発明の特徴的な点であり、本発明の画像形成装置では、シート状部材への色材付与あるいは可搬性の記憶メディアへの情報書き込みをそれぞれ単独に行うことができるが、より効果的には、同じ情報をシート状部材への色材付与と可搬性の記憶メディアへの情報書き込みの両方に行い、それらをいっしょに生産、配布するという使用法が挙げられる。その際、前述のように、一方のストック量のゼロ状態を検出し、他方への出力（プリントアウトあるいは記憶メディアへの情報書き込み）を停止するような指令を出すようにあらかじめ設定しておくことにより、前述のように一方（シート状部材への色材付与あるいは可搬性の記憶メディア）のみの出力（情報書き込み）が継続されて、不要なシート状部材あるいは可搬性の記憶メディアを生産する（出力する、情報書き込みを行う）といった無駄を避けることができる。
【０１８２】
次に、本発明に適用される他の可搬性の記憶メディア、ストレージについて説明する。本発明では、前述のようなＭＦＰ等によって、シート状部材への出力物（印刷物など）を生産したり、各種の可搬性の記憶メディアに情報を書き込むものである。そして、それらの印刷物や情報を書き込まれた可搬性の記憶メディアは、人に配布されたりして使用される。また、その配布物のデータをさらに修正したり、あるいは、複製したりして利用するという場面も多々ある。その際、そのオリジナル情報がどこにあるのか（だれがオリジナル情報の発信者なのか）、また、複製された情報がどこにあるのか（だれが所有しているのか）等がわからなくなってくるのが現代の情報化社会である。さらには、改ざんされたり、新たな情報が加えられたりした新規の情報も氾濫し、それらもまたどこにあるのかわかりにくくなるといった状況が現代の情報化社会である。
【０１８３】
よって、望ましくは、これらの氾濫する情報を何らかの形で管理したい、追跡したい、把握したいという要求が出てきている。本発明は、この点に鑑み、１ｍｍ以下（実質的には０.５ｍｍ〜０.０５ｍｍ）の非常に小さいＩＣチップを可搬性の記憶メディア、ストレージとして位置づけて考えており、これに情報書き込みを行うためのライターも、本発明のＭＦＰ内あるいは、ネットワークに接続された情報出力装置として具備している。ただし、単なるメモリとしてではなく、ＲＦＩＤ（Radio Frequency-Identification：電波認識）方式のチップとして、通信機能も持たせている。すなわち、リーダライタ（アンテナ＋コントローラ）と、情報を電子回路に記憶可能なＩＤタグとで構成し、無線通信によりデータ交信することができるようにしている。
【０１８４】
ＲＦＩＤチップは使用する周波数帯によって微妙に特性が異なり、ノイズや水などの外的要因の影響を受けづらく比較的長い通信距離で利用できる低周波帯（１３４.２ＫＨｚ）は、車の鍵に内蔵されるイモビライザーや入退出管理のＩＤタグなどに多く使われるが、アンテナのコイルを一定量巻く必要があるため、やや厚くなる。一方で、１３.５６ＭＨｚ帯で使用するものは、より薄くすることができる。さらに、マイクロ波（２.４５ＧＨｚ）で使用するものはもっと小さくできる。
【０１８５】
本発明に適用されるＲＦＩＤチップは、ＩＣメモリと通信回路からなるＣＭＯＳチップと超小型アンテナを内蔵したものであり、電源は内蔵していない。必ず対応したリーダライタで読み書きを行うときに無線を通じてＲＦＩＤチップに電源を誘電させて通信を行う。このため、接点がないために形状や使い勝手には柔軟性があり、後述するように、本発明で生産されるシート状部材や、所望の情報を書き込まれた各種の可搬性の記憶メディアと一体化するのに大変都合が良いものである。
【０１８６】
本発明は、このようなＲＦＩＤチップを上記のような本発明によって生産されるシート状部材への出力物（印刷物など）や、所望の情報を書き込まれた各種の可搬性の記憶メディア（例えば、前述の、光メモリ、光磁気メモリ、半導体不揮発メモリなど）と一体化し、このＲＦＩＤチップに、これら印刷物あるいは情報を書き込まれた可搬性の記憶メディアに関連した情報や、これらの素性（例えばどのような情報をもとにして現在の最終的な情報になっているのかといった情報の歴史）などを書き込み、氾濫する多種多様な記憶メディアを、追跡したりできるようにしたものである。
【０１８７】
ここで、このようなＲＦＩＤチップへの情報の書き込みは、本発明の他の可搬性の記憶メディア、メモリと同様に、ＭＦＰからの命令によって書き込むことが可能である。また、ライターがネットワーク情報システムに組み込まれている場合には、他のＰＣ等の情報処理装置からの命令によって、印刷物あるいは情報を書き込まれた可搬性の記憶メディアに関連した情報や、これらの素性の情報などが書き込まれる。特に後者（ライターがネットワーク情報システムに組み込まれている場合）は、その情報入出力装置のところまで行くことなく、遠隔操作でＲＦＩＤチップに情報付与の命令を出すことができて便利である。
【０１８８】
前述のように、このＲＦＩＤチップは大変小さいので、本発明のシート状部材の代表例である紙と一体化させることが容易にできる。すなわち、もともと紙は、パルプ等の繊維の寄り集まりであり、ＲＦＩＤチップのように非常に小さいものは、比較的容易にその繊維の隙間に埋め込むことができる。紙の生産時（抄紙工程）に埋め込んで、完成下紙にはあらかじめこのＲＦＩＤチップが内蔵、一体化されたものとしてもよいし、完成した紙にあとから、樹脂接着剤などでくっつけてもよい。
【０１８９】
樹脂接着剤としては、各種接着剤が使用できる。例えば、エポキシ接着剤のような熱硬化型接着剤やＵＶ硬化型接着剤などがあげられる。エポキシ接着剤は、その接着能力が高く、簡単に破損（一体化された後のＲＦＩＤチップを取り外すことが）できないようにすることができる。また、ＵＶ硬化型接着剤は、非接触でＵＶ光を照射するだけで、１秒〜数秒で簡単に固着させることができて便利である。
【０１９０】
他の一体化手段としては、ホットメルト樹脂、ホットメルト接着剤として知られる熱軟化型の接着剤を使用するのも便利である。ＲＦＩＤチップを配置した場所に、ホットメルトガンで樹脂を付けるだけで、樹脂付与後は、周囲の温度（室温）によってすぐに冷えるので簡単に固着させる（一体化）ことができる。なお、ホットメルト樹脂材料としては、ポリエステル系あるいはナイロン系等適宜選ぶことができる。
【０１９１】
さらに、他の一体化手段としては、ポリオレフィンやネオプレン等の材料よりなる熱収縮樹脂、あるいは熱収縮チューブとして知られている部材を利用する方法があげられる。ＲＦＩＤチップとそれと一体化されるものとを一緒にし、熱を加えて上記樹脂（樹脂チューブ）を収縮させ、一体化、固着化することができる。熱を加えるのもドライヤー等による熱風を加えるだけで簡単に収縮させることができるので、大変使い勝手がよい。
【０１９２】
さらに、他の一体化手段としては、トナーを利用することも良い方法である。本発明ではカールソンプロセス原理を使用してトナー像を紙に形成するが、このトナーというのは、スチレン系（スチレンアクリル）あるいはポリエステル系（重合法の場合はポリエステル）の樹脂に着色剤、電荷制御剤、離型剤、さらには、各種の外添剤を添加したものであり、紙にトナー像を定着させる場合に熱および圧力によってこの樹脂を軟化させて固定させるものである。
【０１９３】
つまりトナーというのは、主たる成分が上記のような樹脂なので、ある意味で熱軟化性の接着剤のような振る舞いをする。よって、定着前のトナー像の中にこのＲＦＩＤチップを埋没させておき、画像の定着と同時にこのＲＦＩＤチップも一緒にくっつけることが可能である。
【０１９４】
なお、以上は、本発明の可搬性の記憶メディアに好適に利用されるＲＦＩＤチップをシート状部材やあるいは他の可搬性の記憶メディアと一体化する技術の説明であるが、本発明では、さらに、このようなＲＦＩＤ機能を持つ素子を、シート状部材への色材付与を行う手段と同等の原理によって印刷形成するようにしている。
【０１９５】
具体的な例として、前述のようなインクジェット原理を利用し、有機半導体材料として、以下のようなπ共役系材料の溶液を用いる。例えば、ポリピロール、ポリ（Ｎ−置換ピロール）、ポリ（３−置換ピロール）、ポリ（３，４−二置換ピロール）などのポリピロール類、ポリチオフェン、ポリ（３−置換チオフェン）、ポリ（３，４−二置換チオフェン）、ポリベンゾチオフェンなどのポリチオフェン類、ポリイソチアナフテンなどのポリイソチアナフテン類、ポリチェニレンビニレンなどのポリチェニレンビニレン類、ポリ（ｐ−フェニレンビニレン）などのポリ（ｐ−フェニレンビニレン）類、ポリアニリン、ポリ（Ｎ−置換アニリン）、ポリ（３−置換アニリン）、ポリ（２，３−置換アニリン）などのポリアニリン類、ポリアセチレンなどのポリアセチレン類、ポリジアセチレンなどのポリジアセチレン類、ポリアズレンなどのポリアズレン類、ポリピレンなどのポリピレン類、ポリカルバゾール、ポリ（Ｎ−置換カルバゾール）などのポリカルバゾール類、ポリセレノフェンなどのポリセレノフェン類、ポリフラン、ポリベンゾフランなどのポリフラン類、ポリ（ｐ−フェニレン）などのポリ（ｐ−フェニレン）類、ポリインドールなどのポリインドール類、ポリピリダジンなどのポリピリダジン類、ナフタセン、ペンタセン、ヘキサセン、ヘプタセン、ジベンゾペンタセン、テトラベンゾペンタセン、ピレン、ジベンゾピレン、クリセン、ペリレン、コロネン、テリレン、オバレン、クオテリレン、サーカムアントラセンなどのポリアセン類およびポリアセン類の炭素の一部をＮ、Ｓ、Ｏなどの原子、カルボニル基などの官能基に置換した誘導体（トリフェノジオキサジン、トリフェノジチアジン、ヘキサセン−６，１５−キノンなど）、ポリビニルカルバゾール、ポリフェニレンスルフィド、ポリビニレンスルフィドなどのポリマーを用いることができる。
【０１９６】
これらのπ共役系材料のうちでも、チオフェン、ビニレン、チェニレンビニレン、フェニレンビニレン、ｐ−フェニレン、これらの置換体またはこれらの２種以上を繰返し単位とし、かつ該繰返し単位の数ｎが４〜１０であるオリゴマーもしくは該繰返し単位の数ｎが２０以上であるポリマー、ペンタセンなどの縮合多環芳香族化合物、フラーレン類、縮合環テトラカルボン酸ジイミド類、金属フタロシアニンよりなる群から選ばれた少なくとも１種が好ましい。
【０１９７】
また、その他の有機半導体材料としては、テトラチアフルバレン（ＴＴＦ）−テトラシアノキノジメタン（ＴＣＮＱ）錯体、ビスエチレンテトラチアフルバレン（ＢＥＤＴＴＴＦ）−過塩素酸錯体、ＢＥＤＴＴＴＦ−ヨウ素錯体、ＴＣＮＱ−ヨウ素錯体、などの有機分子錯体も用いることができる。さらにポリシラン、ポリゲルマンなどのσ共役系ポリマーも用いることができる。
【０１９８】
上記実施例は１例であるが、他の材料であってもよい。例えば、ペンタセン等前駆体が溶媒に可溶であるものは、以下に述べる液体噴射原理等により形成した前駆体の膜を熱処理して目的とする有機材料の薄膜を形成してもよい。
さらに、電極材料としては、ドーピング等で導電率を向上させた公知の導電性ポリマー、例えば導電性ポリアニリン、導電性ポリピロール、導電性ポリチオフェン（ポリエチレンジオキシチオフェンとポリスチレンスルホン酸の錯体など）など、また、白金、金、銀のナノ微粒子（サイズ１〜５０ｎｍ）を分散させた溶液なども好適に利用でき、各種配線パターンや、アンテナのパターンを形成することができる。
【０１９９】
このような溶液を、インクジェット原理によって、印刷パターン形成することにより、従来のようなＲＦＩＤチップをＳｉ半導体プロセスによって別に製作し、別途形成したアンテナや電極パターンと一体にして製作していたＲＦＩＤタグを、すべて印刷によって形成することができ、大変低コストにすることができる。もちろん、１つの噴射ヘッドですべて製作することができないので、噴射する溶液ごとに別々の噴射ヘッドを準備する必要があるが、それでも、従来のＲＦＩＤチップ（ＩＣチップ）をＳｉ半導体プロセスによって別に製作する方法に比べて低コストになる。
【０２００】
なお、上記説明は、インクジェット原理を利用する例で説明したが、スクリーン印刷法による方法、カールソンプロセスによってトナーを付与する原理を使って、このような半導体材料、電極材料を付与する方法も使用することができる。またこの手法によって形成されるＲＦＩＤ機能を持つ記憶メディアはシート状部材に印刷して、それと一体化しても良いし、可搬性の記憶メディアに対しては、その機能を損なわない領域においてその表面あるいは支持体等、さらにはそのパッケージング部材等に印刷して、それらと一体化しても良い。
【０２０１】
以上の説明より明らかなように本発明では、情報入出力装置によって色材を付与されたＲＦＩＤチップ付きシート状部材もしくはＲＦＩＤチップ付き可搬性の記憶メディアとしたので、出力されたシート状部材や情報を書き込まれた可搬性の記憶メディアを配布したりしても、それがどこにあるのか追跡することが可能であるとともに、そのシート状部材や情報を書き込まれた可搬性の記憶メディアの内容がコピーされたり、改ざんされたり、新たな情報が加えられたりして、情報が氾濫しても、もとのオリジナル原稿やオリジナル情報源を確定することができる。
【０２０２】
次に、本発明の他の特徴について説明する。本発明では前述のように可搬性の記憶メディア、ストレージに紙メディアに出力したデータを記憶、記録するものであるが、このような記憶、記録された記憶メディア、ストレージ、すなわち情報書き込み後の記憶メディア、ストレージは、その可搬性を利用して物理的に持ち運びがなされる。
【０２０３】
このような情報を電子データとしてネットワーク回線を利用して送受信することもできるが、場合によっては、本発明のように持ち運びしたほうがよい場合もある。あるいは、そうせざるを得ない場合もある。そこで、本発明のような可搬性の記憶メディア、ストレージが利用されるわけであるが、このような記憶メディア、ストレージそのものの持ち運びを行う場合、どうしても、汚染、あるいは、破損によって、情報の読み取りが不可能になったり、その後のデータの追記、あるいは編集が不可能になったりするという事故が起こる。よって本発明では、このような可搬性の記憶メディア、ストレージを収納する部材に入れて利用するようにしている。
【０２０４】
図１３は、本発明の１構成例であり、紙のようなシート状のものへの出力装置として電子写真原理（カールソンプロセス）を使用したＭＦＰの例である。前述のように、インクジェット原理のＭＦＰであってもよいことはいうまでもない。可搬性の記憶メディア、ストレージとして、ここでは光ディスクとしている。図中、８５は光ディスクドライブユニット、８６は未使用のメディアストック部、８７は収納部材ストック部である。
【０２０５】
使用方法は、図８で説明したように、例えば、マイクロソフト社のＷｏｒｄ（登録商標）ファイル、ＥＸＣＥＬ（登録商標）ファイル、ＰｏｗｅｒＰｏｉｎｔ（登録商標）ファイルなど、あるいはアドビ社のＰＤＦファイルに変換したものなどのファイルデータをＭＦＰ内部のメモリに保存し、必要に応じて紙出力する。またそのファイルデータを組み込まれた光ディスクドライブユニット８５を使用し、メディアストック部８６から搬送、設置された未使用のＤＶＤ−Ｒ、あるいはＤＶＤ−ＲＷ等に焼く（ｂｕｒｎ）ことにより、電子データとして持ち運びできる光ディスク（可搬性ストレージ）を作成する。なお、これら紙文書の出力と光ディスクの作成は、（ほぼ）同時に行ってもよいし、必要に応じて一方だけ（紙文書のプリントアウト、あるいは光ディスクの作成）行ってもよい。光ディスクへの書き込みが終了後、収納部材ストック部に収納された収納部材８８に、光ディスクメディア１０３を収納し、持ち運びに安全な状態となる。
【０２０６】
図１４〜図２１に、収納部材８８に光ディスクメディア１０３を収納する例を示す。図中、８８は収納部材であり、プラスチック、ビニールシート、紙等からなる。８９は収納部であり、この部分に、光ディスクメディア１０３が収納される。９０は収納部材８８に必要に応じて設けられるふた部で、図１４（ａ）にふた部９０を開いた状態を、図１４（ｂ）にふた部９０を半閉じにした状態を示す。
【０２０７】
図１４〜図１８は、外径１２０ｍｍの円盤型の光ディスクメディア１０３を収納する例であり、図１４は、プラスチックケースに収納する例である。収納部８９の中央部には、光ディスクメディア１０３にあけられた穴径１５ｍｍの穴に勘合するような外径１５ｍｍの突起部（高さ１〜２ｍｍ）が設けられ、光ディスクメディア１０３の穴部と勘合する。ふた部９０は開閉自在となっている。
【０２０８】
図１５は、紙でできた封筒状の収納部材８８であり、収納部８９に光ディスクメディア１０３が収められた後、ふた部９０を曲げて蓋をし、ゴミなどが入らないようにする。
【０２０９】
図１６、図１７も形状は図１５とやや異なるが、収納構造は同じである。紙もしくはビニールよりなる収納部材８８に光ディスクメディア１０３を収納後（図１６（ａ）、図１７）、ふた部９０を折り曲げてふたをする（図１６（ｂ））。
【０２１０】
図１８も、収納部材８８は封筒状になっているが、中央に光ディスクメディア１０３の外形より小さい穴を有しており、取り出し易いようにしたものである。
図１９〜図２１は、円盤の両側を切り落とした長円形に似た擬似カード型の光ディスクメディア１０３を収納する例である。収納原理は、前述の円盤型のものと同等であり、封筒状の収納部材８８よりなり、必要に応じてふた部９０を有する。なお、図２０（ａ）はふた部９０を開いた状態を示し、図２０（ｂ）はふた部９０を半閉じにした状態を示す。
【０２１１】
以上、本発明の光ディスクメディア１０３の収納例をいくつか説明したが、本発明では図１４に示すように、このような光ディスクメディア１０３を収納するための収納部材８８を収納部材ストック部８７に常時複数個ストックしている。そして必要に応じて、ここから収納部材８８を取り出し、書き込み後の光ディスクメディア１０３を収納部材８８に収納して、安全に持ち運びできるようにしている。
【０２１２】
なお、この収納部材も前述のシート状部材と可搬性の記憶メディアのストック量の関係と同様の考え方で、シート状部材のストック量のほうがこの収容部材のストック量よりも多くなるようにしている。それにより、シート状部材と収納部材の消費量の極端な違いからくるそれの補給頻度の著しい増加を解消することができる。
【０２１３】
なお、この収納部材ストック部８７から収納部材８８を取り出し、書き込み後の光ディスクメディア１０３を収納する際、１つとか２つといった数であれば人が行ってもよいが、より多くの書き込み後の光ディスクメディア１０３を収納する場合においては、自動化すべきである。
本発明ではこの点に鑑み、所望の情報を書き込まれた可搬性の記憶メディアをパッケージングする機能もＭＦＰの機能として有している。
【０２１４】
図２２は、可搬性の記憶メディア２０５（カード型の光ディスクメディアやカード型の半導体不揮発メモリなど）の収納（パッケージング）プロセスを示す概念図である。
所望の情報を書き込まれた可搬性の記憶メディア２０５（図２２（ａ））は、収納部材２０７によって挟み込まれる。この収納部材２０７は、厚紙や樹脂シートなどが長方形に裁断され部分的に切欠が形成された基材２０８（図２２（ｂ））を２０７ａ〜２０７ｄの仮折り部で仮折りして形成される（図２２（ｃ））。
【０２１５】
収納部材２０７は、面積の大きな下保護面２０７ｅが可搬性の記憶メディア２０５上に重ねられ（図２２（ｄ））、可搬性の記憶メディア２０５と収納部材２０７とが一緒に反転される（図２２（ｅ））。そして、収納部材２０７の他方の上保護面２０７ｆが可搬性の記憶メディア２０５上に重ねられるように仮折り部分に沿って折り畳まれ、２つのフラップ２０７ｇ、２０７ｈが可搬性の記憶メディア２０５の側面を保護するように折り畳まれ、パッケージング終了後の可搬性の記憶メディア２１０ができあがる（図２２（ｆ））。
【０２１６】
以上は、本発明のＭＦＰの機能として設けられた、可搬性の記憶メディアの収納（パッケージング）プロセスであるが、以下に、このようなプロセスを行うための機構の１例を図２３によって説明する。
【０２１７】
所望の情報を書き込まれた可搬性の記憶メディア２０５は搬送されて集積台２６９に載置される。パッケージング機構２５３は、集積台２６９から可搬性の記憶メディア２０５を取り出すロボットアームユニット２７３と、収納部材２０７を保持する収納部材ハンドリングユニット２７４と、収納部材２０７の仮折りを行う仮折りユニット２７５と、可搬性の記憶メディア２０５を挟むように収納部材２０７を折り込む折り込みユニット２７６とから構成されている。
【０２１８】
ロボットアームユニット２７３と収納部材ハンドリングユニット２７４は、多関節のアームを備えた汎用の多軸ロボット機構である。ロボットアームユニット２７３のアームの先端には、可搬性の記憶メディア２０５と収納部材２０７とを挟み込むロボットハンド２７３ａが設けられている。収納部材ハンドリングユニット２７４のアームの先端には、収納部材２０７を吸着保持する吸着パッド２７４ａが設けられている。
ロボットアームユニット２７３と収納部材ハンドリングユニット２７４とは、収納部材２０７の下保護面２０７ｅの上に、搬送されてきた可搬性の記憶メディア２０５を重ね、折り込みユニット２７６に移載する。
【０２１９】
仮折りユニット２７５は、固定治具２７８と、この固定治具２７８の端面に重なるように下降する可動治具２７９と、詳しくは図示しないが、可動治具２７９を上下動させる移動機構とからなり、収納部材２０７を仮折り部２０７ａ〜２０７ｄで仮折りする。
【０２２０】
折り込みユニット２７６は、収納部材２０７に可搬性の記憶メディア２０５が重ねられた状態で載置される箱形状の基台２８２と、収納部材２０７の上保護面２０７ｆを可搬性の記憶メディア２０５の上に折り込む折り込みアーム部２８３と、アーム部２８３を回動させる回動機構とからなる。ここで収納部材２０７の上保護面２０７ｆが可搬性の記憶メディア２０５上に重ねられるように仮折り部分に沿って折り畳まれ、２つのフラップ２０７ｇ、２０７ｈが可搬性の記憶メディア２０５の側面を保護するように折り畳まれ、パッケージング終了後の可搬性の記憶メディア２１０となる。
【０２２１】
なお、この収納部材２０７は、ここでは紙パッケージングの例で説明しているので、多数（複数）の基材２０８として準備されているが、あらかじめ最終的な収納部材としての形態で、多数（複数）個準備（ストック）しておいてもよい。特に、図１４で示したようなプラスチックケースの場合は、複数個の完成したケースとしてストックしている。
【０２２２】
次に、本発明の他の特徴について説明する。本発明では前述のように可搬性の記憶メディア、ストレージに紙メディアに出力したデータを記憶、記録するものであるが、このような記憶メディア、ストレージは、外部から見た場合には、何が記憶されているかわからない。よって、少なくとも出力された紙メディア（プリントアウト文書）と対応付けができる程度の簡単な情報を付与し、それが外部から見られる（記憶メディア、ストレージをドライブ装置等にかけて内部の情報を読み取るのではなく、そのものを見て目視確認できる）ようにしておく必要がある。
【０２２３】
本発明では、この点に鑑み、記憶メディア、ストレージの収納部材の表面に目視情報を記録するようにしている。具体的には、紙メディアに色材を付与する手段であるインクジェット原理による出力手段を利用している。
【０２２４】
インクジェット原理による記録は非接触記録、直接記録であり、被記録体が紙のようなものに限定されることなく、立体的なものにでも記録できる。よって、本発明で使用する各種記憶メディア、ストレージの収納部材は、記憶メディア、ストレージの形状によってその収納部材の形状もさまざまなものとなるが、上記説明より明らかなように、インクジェット原理で非接触記録、直接記録を行えば、その表面に容易に情報を出力（記録）できる。
【０２２５】
具体的には、収納後の各種記憶メディア、ストレージを、それぞれに適した搬送手段でインクジェット記録ヘッド部分（インクジェット出力を行う部分）に搬送することによって、所望の情報を収納部材表面に書き込むことができる。その際、より好ましくは、収納部材の表面にインクが付着しやすくなるように、あるいはにじんだりしない良好な画素が得られるように、インクが付着する表面にインク受容層を形成したほうがよい。
【０２２６】
例えば、ポリカーボネート樹脂等よりなる光ディスクのケース表面にインクジェット記録を行っても、インクの密着力があまりないため、手で触っただけで記録情報が消えてしまうということがよくある。あるいは収納部材として紙パッケージを使用する場合にも紙材質によっては、にじみが生じて良好なインクの画素が形成できない場合がある。
【０２２７】
そのようなことを回避するために、インク受容層をポリカーボネート樹脂表面や、あるいはパッケージ用の紙表面に形成しておくわけである。具体的には、炭酸カルシウム（ＣａＣＯ3）等の微粉末層をバインダー樹脂とともにインク受容層として形成する。
【０２２８】
他の例として、このように収納部材に直接記録するのではなく、表面に紙ラベルのようなものを設けて、その上に記録を行うようにしてもよい。この場合、記録済みの紙ラベルを別途用意して収納部材表面に貼り付けてもよいし、紙ラベルを貼った収納部材を、適宜インクジェット記録部に搬送して、その紙ラベル面に記録してもよい。なお、このラベルは紙に限定されるものではなく、樹脂フィルムであってもよいが、その場合は、以下に述べるように、収納部材表面の材質に準じたインクを選ぶようにする。表面に前述のようなインク受容層を設けたようなラベルであれば、樹脂フィルムラベルであっても紙に準じた扱いができる。
【０２２９】
一般に、インクジェット原理で紙メディアに記録する場合、インクとしては水を溶媒の主成分とした水性系インクが使用されるが、例えばポリカーボネート等のプラスチックに直接記録を行うような場合は、通常の紙の繊維の中にインクがしみこんでいくわけではなく、乾燥に時間がかかるため、溶剤系インク、油性インクを使用するほうがよい。あるいはＵＶ硬化型インクを使用するほうがよい。ただし、これも、インク受容層の有無、ケース表面に直接記録を行う／ラベルに記録を行う、ラベルの材質（紙／樹脂フィルム）、使用するインクジェット原理（サーマルインクジェット方式／ピエゾを利用したオンデマンド方式）によって適宜最適なインクあるいはそれに使用するインクジェット原理を選ぶようにする。
【０２３０】
図２４は、本発明の他の構成例であり、これは収納部材にインクジェット原理で情報を書き込むための専用のインクジェット記録部９６を有するＭＦＰである。９５は給紙カセットであるが、ここには、専用のラベルあるいは、可搬性の記憶メディアの収納部材を複数個ストックしている。９７はインクジェット記録排紙トレイであり、記録されたラベルあるいは、収納部材の排出部である。なお、収納部材は、可搬性の記憶メディアを収納する前のもの、収納後のもの（可搬性の記憶メディアを内臓したもの）ともに良好に使用されるが、収納後のものに記録を行うことを考えた場合、収納後の収納部材は、ふくらみを持ったりして、紙のようにシート状になっていない。よって、紙メディアに出力するインクジェット記録部を流用する場合に、その搬送が難しい場合もある。
【０２３１】
しかしながら、この例のように、収納部材にインクジェット原理で記録を行う専用のインクジェット記録部９６を有するような構成にすると、紙メディアと収納部材の混合搬送という複雑な機構を回避できるのでジャムなどのトラブルが発生しにくくなって有利である。
【０２３２】
次に、本発明のさらに他の特徴について説明する。本発明は上記説明のようにカールソンプロセス原理、あるいはインクジェット原理によって、紙メディアに出力（プリントアウト）し、可搬性の記憶メディアにも情報を書き込み、収納部材に収納して持ち運びができるようにしたものである。
【０２３３】
それに加えて本発明では、紙メディアに出力されたいわゆる紙文書、あるいはＯＨＰシートのようなシート状部材等と収納部材に収納された可搬性の記憶メディアを一体的にする機能も本発明のＭＦＰに持たせている。図２５はその例である。
【０２３４】
図２５において、所望の情報を書き込まれ、紙あるいはビニール袋等の収納部材に入れられたパッケージング終了後の可搬性の記憶メディア２１０（図２５（ａ））は、ステイプラー２１２によって紙文書２１１と一体的にされる（図２５（ｂ））。この場合も、１つの文書および１つの記憶メディアを一体化させるだけであれば、手作業で人が行ってもよいが、より多くの文書および記憶メディアを一体化させる場合においては、本発明のようにＭＦＰに一体化させる機能を持たせるべきである。本発明ではこれを実現するために、ステイプル（止め）機能ならびにその消耗品としてのステイプラー（針）を複数個ストックしている。
【０２３５】
詳細な説明は省略するが、このステイプル（止め）動作は、複数枚の文書を綴じる本発明にＭＦＰの機能を流用して行うことができる。すなわち、出力後の紙文書をページをそろえたりするソーター（図示せず）によって仕分けする紙搬送、排出経路に収納部材に入れられたパッケージング終了後の可搬性の記憶メディアを流し、紙文書を綴じるのと同じ要領で文書と収納部材に収納された記憶メディアを綴じればよい。
【０２３６】
なお、以上の説明は、紙文書とパッケージング終了後の可搬性の記憶メディアの収納部材をステイプラーで綴じる（ホッチキスで綴じる）例であるが、本発明はこれに限定されるものではなく、両者を一体化させるために、例えば、両面テープを利用したり、のりのようなものを利用してもよい。いずれにしろ、このような一体化のための部材（ステイプラー、両面テープ、のり等）は消耗品として、常時本発明のＭＦＰ内に収容している。また紙文書のみならず、本発明のＭＦＰ（カールソンプロセス原理、あるいはインクジェット原理によるプリントアウト装置）によって、出力（プリントアウト）されるシート状出力物（シート状文書やシート状のイメージプリントアウト物）すべてに適用されるものである。
【０２３７】
ところで、前述のＲＦＩＤチップは、シート状部材あるいは可搬性の記憶メディアと一体化しているが、上記説明の収納部材と一体化し、可搬性の記憶メディアとその収納部材、さらに、その収納部材にＲＦＩＤチップを埋め込み一体化するのも、本発明の可搬性の記憶メディアの情報追跡あるいは管理するのに良い方法である。
【０２３８】
次に本発明のさらに他の特徴について説明する。本発明の情報入出力装置は紙を扱うため、その紙粉やトナー、インクなどが常時装置内、あるいは装置近傍に漂っている環境にある。よって本発明の光メモリ等のストレージに記録を行う半導体レーザおよびその光学系よりなるピックアップユニット（図１０の１０８参照）は、紙粉やトナー、インクなどによって汚れやすいという宿命にある。
【０２３９】
さらに、本発明の他の例である半導体不揮発メモリのように電気的入出力で、情報の書き込み／読み出し（出力）を行うものと違って、光メモリ等のストレージは、ピックアップユニットとストレージが物理的に分離していて、機械的動作を行うという動作原理そのものに起因するものであるが、故障しやすい（レーザダイオードの寿命あるいは機械動作部分の故障）という性格もある。とりわけ、本発明に特有な紙粉やトナー、インクなどの浮遊は、機械的動作の故障を引き起こす重要因子である。
【０２４０】
そこで、本発明では、これら汚れ、あるいは故障等による、信頼性の低さを補償するために、ピックアップユニットをドライブ部分から着脱可能とし、故障したり、レンズ等の光学系が汚れたりして、使用に支障をきたす場合に簡単に交換、あるいはレンズ部分の清浄化ができるようにしている。
【０２４１】
このようにＭＦＰ内にこのような光メモリ等のストレージを有するような本発明の場合、紙粉やトナー、インクなどによる光学系の汚染、あるいはピックアップユニットの機械的動作部分の故障があっても、これを着脱交換できるようにしているので、簡単に機能回復できるという利点がある。
【図面の簡単な説明】
【０２４２】
【図１】本発明の第１の実施形態に係る潜像担持体としての感光体ドラムをタンデム配列した乾式二成分現像方式のフルカラー作像装置の画像形成部を示す図である。
【図２】本発明の第１の実施形態に係る潜像担持体としての感光体ドラムをタンデム配列した乾式二成分現像方式のフルカラーの画像形成装置全体を示す図である。
【図３】本発明のフルカラーの画像形成装置に適用される自動原稿搬送読み取装置の構成を示す図である。
【図４】本発明の第２の実施形態に係るインクジェット原理の記録装置の一例を説明するための図である。
【図５】本発明の第２の実施形態に係るサーマルインクジェット方式におけるインク噴射の動作原理を説明するための図である。
【図６】本発明の第２の実施形態に係るインクジェット記録の印写動作の構成の一例を説明するための図である。
【図７】本発明のプリンタ部、光メモリ、スキャナ、ハードディスク等の電気処理部の詳細説明図である。
【図８】本発明の１構成例として、ＭＦＰに光ディスクドライブユニットを組み込んだ構成を示す説明図である。
【図９】本発明に適用される情報書き込み前の光ディスクメディアを複数枚収納したマガジンの外観斜視図である。
【図１０】本発明に適用される光ディスクドライブユニットに光ディスクメディアを装着、情報書き込み、排出の動作原理を説明する図である。
【図１１】マガジン挿入後の光ディスクメディアを書き込み部に搬送する動作を説明するための図である。
【図１２】搬送トレイに搭載された光ディスクメディアが引き出されたときの状態を示す断面図である。
【図１３】本発明の１構成例として、ＭＦＰに光ディスクドライブユニットならびに収納部材ストック部を組み込んだ構成を示す説明図である。
【図１４】円盤型光ディスクメディアを収納する構成例を示す図である。
【図１５】円盤型光ディスクメディアを収納する他の構成例を示す図である。
【図１６】円盤型光ディスクメディアを収納するさらに他の構成例を示す図である。
【図１７】円盤型光ディスクメディアを収納するさらに他の構成例を示す図である。
【図１８】円盤型光ディスクメディアを収納するさらに他の構成例を示す図である。
【図１９】擬似カード型の光ディスクメディアを収納する構成例を示す図である。
【図２０】擬似カード型の光ディスクメディアを収納する他の構成例を示す図である。
【図２１】擬似カード型の光ディスクメディアを収納するさらに他の構成例を示す図である。
【図２２】カード型の可搬性の記憶メディアの収納（パッケージング）プロセスを示す概念図である。
【図２３】本発明のＭＦＰに設けられたカード型の可搬性の記憶メディアの収納（パッケージング）プロセスを行うための機構の１例をしめす図である。
【図２４】本発明の１構成例として、収納部材にインクジェット原理で情報を書き込むための専用のインクジェット記録部を有するＭＦＰの構成を示す説明図である。
【図２５】紙文書と記憶メディアを収納した収納部材を一体化する例を示す図である。
【符号の説明】
【０２４３】
Ａ…原稿セット部、Ｂ…分離給送部、Ｃ…レジスト部、Ｄ…ターン部、Ｅ…第１読み取り搬送部（第１読み取り位置）、Ｆ…第２読み取り搬送部（第２読み取り位置）、Ｇ…排紙部、Ｈ…スタック部、１…画像形成部、２…給紙部、３…読み取り部、４…排紙トレイ、５…中間転写ベルト、６…作像部、７…露光装置、８…定着装置、９…両面装置、１０…インク、１１…発熱体、１２…気泡、１３…インク滴、２０…記録紙、２１…給紙トレイ、２３…レジストローラ、２４…底板、２５…ピックアップローラ、２６…給紙ローラ、２７…縦搬送路、３１…コンタクトガラス、３２…第１の走行体、３３…第２の走行体、３４…レンズ、３５…ＣＣＤ、３６…自動原稿搬送読み取装置、３７…読み取りローラ、３８…読み取り手段（第２読み取り手段）、３８ａ…読み取り面、３９…読み取りローラ、４１…排紙ローラ、５１…２次転写装置、５２…中間転写ベルトクリーニング装置、６１…感光体、６２…帯電装置、６３…現像装置、６４…感光体クリーニング装置、６５…露光部、６６…１次転写装置、６７…ヘッドユニット、６８…ヘッドチップ、６９…ＦＰＣ、７０…インク容器部、７１…裏蓋、７２…インク吸収体、７３…記録紙、７４…インクジェットヘッドユニット、７５…ノズル、７６…キャリッジ、７７…ガイドロッド、７８…ネジ棒、７９…記録紙搬送ローラ、８０…記録紙押えコロ、８１…分岐爪、８２…ジャム紙排紙トレイ、８４…手差しトレイ、８５…光ディスクドライブユニット、８６…メディアストック部、８７…収納部材ストック部、８８…収納部材、８９…収納部、９０…ふた部、９１…分岐部、９２…反転排紙経路、９５…給紙カセット、９６…インクジェット記録部、９７…インクジェット記録排紙トレイ、１００…マガジン、１０１…三角形の方向表示印、１０２…搬送トレイ、１０３…光ディスクメディア、１０４…フック溝、１０５…穴、１０６…フック、１０７…回転軸、１０８…ピックアップ、１０９…光ディスクドライブユニット、１１０…書き込み部、１１１…切り欠き部、２０５…可搬性の記憶メディア、２０７…収納部材、２０７ａ…仮折り部、２０７ｂ…仮折り部、２０７ｃ…仮折り部、２０７ｄ…仮折り部、２０７ｅ…下保護面、２０７ｆ…上保護面、２０７ｇ…フラップ、２０７ｈ…フラップ、２０８…基材、２１０…パッケージ終了後の可搬性の記憶メディア、２１１…紙文書、２１２…ステイプラー、２５３…パッケージング機構、２６９…集積台、２７３…ロボットアームユニット、２７３ａ…ロボットハンド、２７４…収納部材ハンドリングユニット、２７４ａ…吸着パッド、２７５…仮折りユニット、２７６…折り込みユニット、２７８…固定治具、２７９…可動治具、２８２…基台、２８３…折り込みアーム部、３０１…ＣＰＵ、３０２…ＲＡＭ、３０３…ＲＯＭ、３０４…ローカルバス、３０５…Ｉ／Ｏバス、３０６…ブリッジ回路、３０７…プリンタ部、３０８…プリンタインターフェース部、３０９…光ディスクドライブ、３１０…光ディスクドライブインターフェース部、３１１…スキャナ部、３１２…スキャナインターフェース部、３１３…ハードディスクドライブ、３１４…ＩＤＥインターフェース部、３１５…ネットワークインターフェースコントローラ、３１６…イメージプロセッシングユニット、３１７…ラスタイメージプロセッサ、３１８…ビデオＲＡＭ、３１９…ビデオインターフェース部、３２０…拡張Ｉ／Ｏインターフェース部。
【図１】
2006295878.tif 000003
【図２】
2006295878.tif 000004
【図３】
2006295878.tif 000005
【図４】
2006295878.tif 000006
【図５】
2006295878.tif 000007
【図６】
2006295878.tif 000008
【図７】
2006295878.tif 000009
【図８】
2006295878.tif 000010
【図９】
2006295878.tif 000011
【図１０】
2006295878.tif 000012
【図１１】
2006295878.tif 000013
【図１２】
2006295878.tif 000014
【図１３】
2006295878.tif 000015
【図１４】
2006295878.tif 000016
【図１５】
2006295878.tif 000017
【図１６】
2006295878.tif 000018
【図１７】
2006295878.tif 000019
【図１８】
2006295878.tif 000020
【図１９】
2006295878.tif 000021
【図２０】
2006295878.tif 000022
【図２１】
2006295878.tif 000023
【図２２】
2006295878.tif 000024
【図２３】
2006295878.tif 000025
【図２４】
2006295878.tif 000026
【図２５】
2006295878.tif 000027